(57)【要約】【課題】不正行為の早期発見、ひいては当該不正行為を抑制することのできる遊技機を提供する。【解決手段】パロット機１は、前面側に設けられた上皿７１を介して所定数の遊技球が取込装置により取込まれることで遊技開始条件が成立する。所定数の遊技球が取込まれた後、スタートレバー２６８の操作が行われると、複数のリール等よりなる可変表示装置の可変表示が開始される。そして、遊技者がストップボタン２７１等を介して可変表示を停止した際、所定の有効ラインに表示される停止図柄が特定図柄である場合には、例えばビッグボーナスゲームのような遊技者に有利な特別遊技状態に移行する。さらに、不正対象物等の遊技機前面側への露出を抑えるように配置される遮光性のカバー手段と、当該カバー手段に光を当てる発光手段とを備え、当該カバー手段に孔が開けられた場合には、当該孔から光が漏れる構成となっている。【選択図】      図１
2014221277.tif 000002
【特許請求の範囲】
【請求項１】
始動操作手段の操作に起因して複数の識別情報を可変表示するとともに、停止操作手段の操作に起因して可変表示を停止する可変表示手段を備え、
前記可変表示手段にて所定領域に停止された識別情報が特定識別情報である場合には所定の遊技価値を付与する遊技機であって、
遊技機前面側において遊技球を貯留可能な球貯留手段と、
前記球貯留手段から遊技球を取込可能な取込手段と、
前記遊技価値の付与として前記球貯留手段へ遊技球を払出可能な払出手段とを備え、
前記取込手段により所定数の遊技球が取込まれた場合に遊技開始可能となる構成とするとともに、
不正対象物又は当該不正対象物へ連通する通路部の遊技機前面側への露出を抑えるように少なくとも一部が遊技機前面側に露出した状態で配置されるカバー手段と、
前記カバー手段の非露出面に対し光を当てる発光手段とを備え、
前記カバー手段を、遮光性を有する遮光手段により構成したことを特徴とする遊技機。
【発明の詳細な説明】
【技術分野】
【０００１】
本発明は、遊技機に関するものである。
【背景技術】
【０００２】
近年、遊技機の一種として、メダルの代わりにパチンコ機で使用される遊技球を用いてスロットマシンと同様の遊技を行うことのできる遊技機、いわゆるパロット機を見かける。
【０００３】
かかるパロット機は、例えば遊技機前面側に設けられた球受皿を介して所定数の遊技球が取込装置により取込まれることで遊技開始条件が成立する。所定数の遊技球が取込まれた後、スタートレバー等の始動操作手段の操作が行われると、複数のリール等よりなる可変表示装置の可変表示が開始される。そして、遊技者がストップボタン等の停止操作手段を介して可変表示を停止した際、所定の有効ラインに表示される停止図柄が特定図柄である場合には、例えばビッグボーナスゲームのような遊技者に有利な特別遊技状態に移行する。この特別遊技状態において遊技者は多くの遊技球を獲得できる（例えば、特許文献１参照）。
【先行技術文献】
【特許文献】
【０００４】
【特許文献１】特開２００４−１６６７５５号公報
【発明の概要】
【発明が解決しようとする課題】
【０００５】
上記パロット機のような遊技機においては、遊技機に孔を開けて不正行為が行われるおそれがある。例えば、遊技機に孔を開け、そこから針金等を遊技機内部に挿し込み、内部機器を不正に操作し、遊技球を獲得しようとする不正行為等が行われるおそれがある。しかしながら、そのような不正行為は、開けられる孔も小さく、早期に発見し難い。
【０００６】
尚、かかる課題は、パロット機に限らず、パチンコ機など他の遊技機にも内在する深刻なものである。
【０００７】
本発明は上記事情に鑑みてなされたものであり、その目的は、不正行為の早期発見、ひいては当該不正行為を抑制することのできる遊技機を提供することである。
【課題を解決するための手段】
【０００８】
以下、上記課題等を解決するのに適した各手段につき項分けして説明する。なお、必要に応じて対応する手段に特有の作用効果等を付記する。
【０００９】
手段１．始動操作手段の操作に起因して複数の識別情報を可変表示するとともに、停止操作手段の操作に起因して可変表示を停止する可変表示手段を備え、
前記可変表示手段にて所定領域に停止された識別情報が特定識別情報である場合には所定の遊技価値を付与する遊技機であって、
遊技機前面側において遊技球を貯留可能な球貯留手段と、
前記球貯留手段から遊技球を取込可能な取込手段と、
前記遊技価値の付与として前記球貯留手段へ遊技球を払出可能な払出手段とを備え、
前記取込手段により所定数の遊技球が取込まれた場合に遊技開始可能となる構成とするとともに、
不正対象物又は当該不正対象物へ連通する通路部の遊技機前面側への露出を抑えるように少なくとも一部が遊技機前面側に露出した状態で配置されるカバー手段と、
前記カバー手段の非露出面に対し光を当てる発光手段とを備え、
前記カバー手段を、遮光性を有する遮光手段により構成したことを特徴とする遊技機。
【００１０】
上記手段１によれば、カバー手段に孔が開けられた場合には、当該孔から発光手段の光が漏れることとなる。これにより、カバー手段に孔を開けて不正行為が行われた場合には、発光手段の光が漏れていることを確認することで、不正行為を早期に発見することができる。ひいては、孔を開けると光が漏れることが認知されれば、不正行為が抑制される。光の漏れを利用することで、孔が開けられた位置が例えば暗く奥まった位置など比較的発見しにくい位置である場合や、開けられた孔が比較的小さい場合でも、より容易に不正行為を発見することができる。
【００１１】
以下の手段においても同様であるが、上記「発光手段」に代えて、装飾ランプや情報表示装置などのように「発光手段を具備した表示手段」を配置しておくことにより、前記表示手段の発光手段を利用して上記手段１と同様の作用効果を得ることができる。前記「発光手段を具備した表示手段」には、例えばバックライトを具備したリールユニット等の上記可変表示手段も含まれる。このようにすれば、新たに発光手段を設ける必要もなく、製造コストの増加を抑制することができる。
【００１２】
遮光手段には、例えば遮光性を有する合成樹脂材料や金属材料等より形成された部材はもちろんのこと、この他、遮光性を有する皮膜部が形成された部材等が含まれる。
【００１３】
遊技価値の付与には、ビッグボーナスゲームなどの特別遊技状態の発生や、遊技媒体の付与（賞球の払出し）などが含まれる。従って、例えば、所定領域としての有効ライン上に停止表示された識別情報の組合せが特定の組合せ（例えば特定識別情報の組合せ等）である場合には、遊技価値として遊技者に有利な特別遊技状態が付与される。
【００１４】
また、不正対象物とは、不正行為が行われ得る対象物を意味しており、例えば取込手段、払出手段、各種検出センサなどが一例に挙げられる。従って、不正対象物へ連通する通路部としては、例えば球貯留手段と取込手段（又は払出手段）と連通する球通路や、当該球通路に連通し、球貯留手段から取込手段へ通ずる取込口（又は払出手段から球貯留手段へ通ずる払出口）などが一例に挙げられる。
【００１５】
また、カバー手段の非露出面とは、遊技機前面側へ露出していない面を意味する。但し、カバー手段の形状、発光手段の配置や向き等によっては、光の当たらない非露出面もある。従って、カバー手段の露出面に孔が開けられた場合に、当該孔から発光手段の光が漏れる構成とするためには、上記手段における非露出面が、特にカバー手段における遊技機前面側へ露出した部位（壁部）の露出面とは反対側の面（裏面）であることが好ましい。
【００１６】
なお、例えばパロット機など、上記取込手段により所定数の遊技球が取込まれた場合に遊技開始可能となる構成の遊技機の場合、従来のパチンコ機に比べて大量の遊技球を短時間で取り込んだり、払出したりする必要があるため、球貯留手段を大型化したり、球貯留手段から取込手段へ通ずる取込口（導出部）や、払出手段から球貯留手段へ通ずる払出口（導入部）を比較的大きく設定するなどの対策をとることが想定される。そのため、前記取込口や払出口などを介して針金等を遊技機内部に挿し込まれやすく、不正行為が行われやすい。例えば、球貯留手段の取込口から取込手段に対して針金等を挿し込み、取込球を検出するための球検出センサに検出させて、実際には遊技球が取込まれていないにも関わらず、遊技球の取込みがあったかのようにする不正行為や、ひいては実際には取込まれていない遊技球を所定の返却操作手段を操作して不正に払出（返却）させる不正行為等が行われる可能性がある。従って、このような不正行為に対しても上記手段１は効果を発揮する。
【００１７】
手段２．始動操作手段の操作に起因して複数の識別情報を可変表示するとともに、停止操作手段の操作に起因して可変表示を停止する可変表示手段を備え、
前記可変表示手段にて所定領域に停止された識別情報が特定識別情報である場合には所定の遊技価値を付与する遊技機であって、
遊技機前面側において遊技球を貯留可能な球貯留手段と、
前記球貯留手段から遊技球を取込可能な取込手段と、
前記遊技価値の付与として前記球貯留手段へ遊技球を払出可能な払出手段とを備え、
前記取込手段により所定数の遊技球が取込まれた場合に遊技開始可能となる構成とし、
前記球貯留手段の少なくとも一部が、遊技機前面側を構成する前面体の前面部より奥方に配置されるとともに、
前記球貯留手段の上方位置において発光手段を配置し、
前記球貯留手段のうち少なくとも前記前面体の前面部より奥方に配置される部分の上部を覆うカバー体を備え、
前記カバー体の少なくとも一部を、遮光性を有する遮光手段により構成したことを特徴とする遊技機。
【００１８】
上記手段２によれば、上記手段１と同様の作用効果が奏される。仮に球貯留手段の貯留面にコーティングなど光沢を持たせる加工を施すことにより、球貯留手段の一部が前面体の前面部より奥まった位置に配置されている構成であっても、カバー体（遮光手段により構成された部分）に孔が開けられ、光が漏れた場合には、球貯留手段の貯留面に反射した光を視認することで、不正行為を発見できる。又は、例えば略平板状のカバー体を、奥側が低くなるように傾斜した状態で配置することで、孔から漏れる光をより視認しやすくすることもできる。なお、球貯留手段の周辺などのように一般の遊技者が頻繁に触れる箇所で、不正行為が行われていることを比較的発見しにくい箇所であっても、そこに孔を開けて針金等を挿し込み、不正行為が行われた場合には、発光手段の光が漏れていることを確認することで、不正行為を早期に発見することができる。
【００１９】
手段３．前記カバー体の少なくとも一部を、透光性を有する透光手段により構成したことを特徴とする手段２に記載の遊技機。
【００２０】
上記手段３によれば、カバー体の少なくとも一部を透光手段により構成しておけば、前面体の前面部より奥まった位置において球貯留手段に貯留された遊技球を、発光手段から発せられる光により照らすことができる。これにより、貯留された遊技球の数量を遊技者が認識しやすくなる。もちろん、上記不正行為を早期発見する観点のみから見れば、カバー体全体を遮光手段により構成することがより好ましい。
【００２１】
手段４．前記球貯留手段は、前記取込手段へ遊技球を導出する導出部を備え、
前記カバー体は、前記導出部の上方位置において当該カバー体の本体部に対し着脱自在に取付けられる導出部カバー体を備え、
前記導出部カバー体を前記遮光手段としたことを特徴とする手段２又は３に記載の遊技機。
【００２２】
上記手段４によれば、導出部カバー体がカバー体の本体部に対し着脱自在に取付けられている。このため、当該導出部カバー体を取外すことにより、取込手段等の清掃作業や点検、修理等を容易に行うことができ、メンテナンス性の向上が図られる。仮に球貯留手段の導出部から取込手段に対して針金等を挿し込み、取込球を検出するための球検出センサに検出させて、実際には遊技球が取込まれていないにも関わらず、遊技球の取込みがあったかのようにする不正行為などを行う際には、導出部カバー体に孔を開けなければ困難であるため、導出部カバー体を遮光手段とすることにより、上記手段１等と同様の作用効果が奏される。さらに、前記不正行為が行われ、導出部カバー体に孔が開けられた場合には、当該導出部カバー体のみを交換するだけで遊技機を元の状態に戻すことができるため、コスト増加を抑制することができる。
【００２３】
手段５．前記導出部カバー体は、少なくとも前記導出部の上方を覆う底壁部と、当該底壁部の周縁部に立設された周壁部とから構成され、上方に開口した略箱状に構成されていることを特徴とする手段４に記載の遊技機。
【００２４】
上記手段５によれば、周壁部のどこに孔が開けられても、当該孔から光が漏れる構成となるため、不正行為に対する上記作用効果がより確実に奏される。
【００２５】
手段６．所定の固定枠に対し開閉可能に設けられ、前記球貯留手段を具備する第１扉体と、
前記第１扉体の背面側において当該第１扉体に対し開閉可能に設けられ、前記払出手段を具備する第２扉体と、
前記第１扉体と第２扉体の間において当該第１扉体及び第２扉体に対し開閉可能に設けられ、前記可変表示手段を具備する第３扉体とを備え、
少なくとも前記全扉体の閉状態において、前記導出部カバー体を前記カバー体の本体部より取外し不能としたことを特徴とする手段４又は５に記載の遊技機。
【００２６】
上記手段６によれば、通常、遊技が行われている間は、全扉体が閉状態となっているため、導出部カバー体をカバー体の本体部より取外すことができなくなる。従って、通常時は、導出部カバー体を取外して取込手段に対し針金等を挿し込むことができず、導出部カバー体に孔が開けられるおそれがあるため、導出部カバー体を遮光手段とした効果がより発揮される。
【００２７】
手段７．前記固定枠に対し前記第１扉体を施錠する第１施錠機構と、
前記第１扉体に対し第２扉体を施錠する第２施錠機構とを備え、
前記固定枠に対し前記第１扉体を施錠した前記第１施錠機構の施錠状態においては、前記第１扉体に対し前記第２扉体を施錠した前記第２施錠機構の施錠状態を解除不能とし（前記第２施錠機構を解錠不能とし）、
前記第１施錠機構の解錠状態において、前記第２施錠機構を解錠可能としたことを特徴とする手段６に記載の遊技機。
【００２８】
上記手段７によれば、上記手段６の作用効果をより確実なものとすることができる。
【００２９】
手段８．前記球貯留手段は、前記払出手段から払出される遊技球を導入する導入部を備え、
前記カバー体は、前記導入部の前方位置において当該カバー体の本体部から下方に突出形成された突出部を備え、
前記突出部を前記遮光手段としたことを特徴とする手段２乃至５のいずれかに記載の遊技機。
【００３０】
上記手段８によれば、大量の遊技球の払出しに対応して導入部を比較的大きく形成した構成においても、上記突出部を備えることにより、球貯留手段の導入部を介して払出手段に針金等を挿し込み、不正に遊技球を払出させる不正行為などが行いにくくなる。仮に前述のような不正行為を行う際には、突出部に孔を開けなければ困難であるため、突出部を遮光手段とすることにより、上記手段１等と同様の作用効果が奏される。
【００３１】
尚、上記各手段の構成の遊技機、
つまり「始動操作手段の操作に起因して複数の識別情報を可変表示するとともに、停止操作手段の操作に起因して可変表示を停止する可変表示手段を備え、前記可変表示手段にて所定領域に停止された識別情報が特定識別情報である場合には所定の遊技価値を付与する遊技機であって、遊技機前面側において遊技球を貯留可能な球貯留手段と、前記球貯留手段から遊技球を取込可能な取込手段と、前記遊技価値の付与として前記球貯留手段へ遊技球を払出可能な払出手段とを備え、前記取込手段により所定数の遊技球が取込まれた場合に遊技開始可能となる構成」の遊技機に限らず、
「不正対象物又は当該不正対象物へ連通する通路部の遊技機前面側への露出を抑えるように少なくとも一部が遊技機前面側に露出した状態で配置されるカバー手段と、前記カバー手段の非露出面に対し光を当てる発光手段とを備え、前記カバー手段を、遮光性を有する遮光手段」とした構成（以下、構成Ａ１という）は、上記同様の不正行為が行われる他の構成の遊技機においても同様の作用効果を奏する。
【００３２】
例えばパチンコ機等の弾球遊技機においても同様の作用効果を奏する。弾球遊技機の構成例としては、「遊技機前面側において遊技球を貯留可能な球貯留手段と、前記球貯留手段から遊技球を発射位置に取込み、その取り込まれた遊技球を遊技領域に向けて発射する発射手段とを備えた」構成が一例として挙げられる。そして、遊技領域内の所定の入球手段へ遊技球が入球した場合には、払出手段から所定数の賞球（遊技球）が球貯留手段へ払出される。従って、前記発射手段を上記各手段の「取込手段」として見れば、上記手段２乃至８のいずれかと同様の構成の球貯留手段やカバー体等を備えた遊技機を、弾球遊技機として具現化することも可能である。
【００３３】
この他、遊技媒体として遊技球とは異なる媒体（例えばメダル等）を使用する遊技機（例えばスロットマシン等の回胴式遊技機）においても、上記構成Ａ１は同様の作用効果を奏する。
【発明の効果】
【００３４】
本発明によれば、不正行為の早期発見、ひいては当該不正行為を抑制することができる。
【図面の簡単な説明】
【００３５】
【図１】パロット機の全体を示す正面斜視図である。
【図２】パロット機の正面図である。
【図３】外枠に対して前扉を開放した状態を示す斜視図である。
【図４】前扉に装着されたメインユニット及び裏機構ユニットを開放した状態を示す斜視図である。
【図５】パロット機の背面図である。
【図６】パロット機の部分側面図である。
【図７】前扉の背面斜視図である。
【図８】正面側から見た前扉の分解斜視図である。
【図９】背面側から見た前扉の分解斜視図である。
【図１０】正面側から見たベース枠及び装飾枠の斜視図である。
【図１１】背面側から見たベース枠及び装飾枠の斜視図である。
【図１２】装飾カバーを外した状態の前扉の正面斜視図である。
【図１３】上皿ユニットの全体を示す斜視図である。
【図１４】箱体を取外した状態の上皿ユニットの全体を示す斜視図である。
【図１５】上皿ユニットの平面図である。
【図１６】上皿ユニットの底面図である。
【図１７】上皿ユニットの分解斜視図である。
【図１８】上皿の全体を示す斜視図である。
【図１９】上皿の平面図である。
【図２０】カードユニット操作装置を取付け、そのカバーを取外した状態を示す上皿の斜視図である。
【図２１】球返却機構の斜視図である。
【図２２】球返却機構の平面図である。
【図２３】球止め機構の分解斜視図である。
【図２４】（ａ）は、規制解除状態にある球止め機構を示す断面図であり、（ｂ）は、規制状態にある球止め機構を示す断面図である。
【図２５】取込装置の正面側の斜視図である。
【図２６】取込装置の背面側の斜視図である。
【図２７】取込装置の一部を分解して示す分解斜視図である。
【図２８】取込装置の内部機構を説明するための断面図である。
【図２９】返却シャッタの斜視図である。
【図３０】（ａ）は、返却シャッタが通路閉鎖位置にある状態の取込装置等を示す断面図であり、（ｂ）は、返却シャッタが通路開放位置にある状態の取込装置等を示す断面図である。
【図３１】メインユニットの正面斜視図である。
【図３２】メインユニットの背面斜視図である。
【図３３】メインユニットの正面図である。
【図３４】正面側から見たメインユニットの分解斜視図である。
【図３５】背面側から見たメインユニットの分解斜視図である。
【図３６】リールユニットの斜視図である。
【図３７】裏機構ユニットの背面斜視図である。
【図３８】裏機構ユニットの正面斜視図である。
【図３９】裏機構ユニットの背面図である。
【図４０】払出装置等を取外した状態を示す裏機構ユニットの背面斜視図である。
【図４１】払出制御装置等を取外した状態を示す裏機構ユニットの背面斜視図である。
【図４２】払出制御装置等を取外した状態を示す裏機構ユニットの背面図である。
【図４３】球払出ユニットの内部構成を示す断面図である。
【図４４】（ａ）は施錠装置を背面外側から見た斜視図であり、（ｂ）は施錠装置を背面内側から見た斜視図である。
【図４５】（ａ）は前扉の解錠時の施錠装置を背面外側から示す斜視図であり、（ｂ）は前扉の解錠時の施錠装置を背面内側から示す斜視図である。
【図４６】（ａ）は裏機構ユニットの解錠時の施錠装置を背面外側から示す斜視図であり、（ｂ）は裏機構ユニットの解錠時の施錠装置を背面内側から示す斜視図である。
【図４７】パロット機の主な電気的構成を示すブロック図である。
【発明を実施するための形態】
【００３６】
以下、遊技機としてのパロット遊技機（以下、単に「パロット機」という）の一実施形態を図面に基づいて詳細に説明する。ここでいうパロット機とは、パチンコ機とスロットマシンとを融合したタイプの遊技機であり、特に遊技球を遊技媒体として使用するスロットマシン仕様の遊技機を指す。図１はパロット機１の全体を示す正面斜視図であり、図２は正面図であり、図３は後述する固定枠としての外枠２に対して第１扉体としての前扉３を開放した状態を示す斜視図であり、図４は前扉３に装着された後述する第３扉体としてのメインユニット４及び第２扉体としての裏機構ユニット５を開放した状態を示す斜視図であり、図５はパロット機１の背面図である。
【００３７】
図１〜図５に示すように、パロット機１は、当該パロット機１の外殻を形成する外枠２と、外枠２の前部に設けられ外枠２の一側部にて開閉可能に支持された前扉３とを備えている。
【００３８】
外枠２は、木製の板材により全体として矩形状に構成され、ネジ等の離脱可能な締結具により各板材が組み付けられている。外枠２の下部には樹脂製の幕板飾り６が取着されている。この外枠２を構成する上下の横板は、釘等によって遊技ホールに設けられた遊技機設置島などに固定される。また、左右の縦板は、隣接する球貸装置などに接続される。
【００３９】
前扉３は、外形が略矩形状のベース枠１０と、その前面側に取着される前面体としての装飾枠１１とを主体に構成されている。ベース枠１０及び装飾枠１１は主に合成樹脂、具体的にはＡＢＳ（アクリロニトリル−ブタジエン−スチレン）樹脂により構成されている。装飾枠１１はベース枠１０に対しネジ等の締結具により固定されている。
【００４０】
パロット機１の正面から見て、前扉３の左上部及び左下部には上下一対の開閉機構１２が設けられている。これに対応して外枠２の左上部及び左下部（幕板飾り左端）には上下一対の支持機構１３が設けられている。開閉機構１２を支持機構１３に組付けることにより、前扉３が外枠２に対し開閉自在に組付けられる。
【００４１】
ここで、開閉機構１２及び支持機構１３について、両者の関連性をふまえてより詳しく説明する。前扉３の背面側の斜視図である図７等に示すように、開閉機構１２は、ベース枠１０の左上部及び左下部において左右方向に沿って設けられたベース金具１４と、当該ベース金具１４の左右方向略中央部において回動自在に軸支された連結アーム１５とにより構成されている。
【００４２】
ベース金具１４の左端（図７では右端）には上方又は下方へ向け突出した突部１６が設けられている。これに対応して、外枠２側の支持機構１３の左端には、図３等に示すように、前記突部１６が左右方向にスライド自在に嵌め込まれるレール部１７が設けられている。レール部１７の左端は突部１６が抜落ち不能となるよう閉鎖されており、右端は突部１６を出し入れ可能に開口している。レール部１７の開口側には、突部１６の抜落ち防止用の係止片１９が設けられている。係止片１９は図示しないバネによって常には前方へ付勢された状態に維持されている。
【００４３】
また、連結アーム１５の先端部には連結具２０が設けられている。これに対応して、支持機構１３の右端には、連結アーム１５の連結具２０が連結される連結部２１が設けられている。連結具２０が連結部２１に対し連結された状態では、連結アーム１５が支持機構１３に対し回動自在に軸支された状態となる。
【００４４】
外枠２に対する前扉３の装着手順としては、まず、上下とも前扉３側の突部１６を外枠２側の係止片１９に押し当てる。そして、バネの付勢力に抗して係止片１９を没入状態として、突部１６をレール部１７に嵌め込む。その後、連結アーム１５の連結具２０を連結部２１に対し連結すると、前扉３の装着が完了する。前扉３を開閉させる際には、突部１６がレール部１７に沿って左右方向にスライドすることにより、前扉３が回動する。
【００４５】
次に装飾枠１１について詳しく説明する。装飾枠１１は、主に、略矩形状の窓孔３０を有した窓枠部３１と、当該窓枠部３１の下方に設けられた上皿構成部３２と、当該上皿構成部３２の下方に設けられた下皿構成部３３とから構成されている。
【００４６】
窓孔３０には透明のガラス板３４が取付けられている。ここで図７〜図１１を参照してより詳しく説明する。図８は正面側から見た前扉３の分解斜視図であり、図９は背面側から見た前扉３の分解斜視図であり、図１０はガラス板３４等を取外した状態のベース枠１０及び装飾枠１１を正面側から見た斜視図であり、図１１はガラス板３４等を取外した状態のベース枠１０及び装飾枠１１を背面側から見た斜視図である。
【００４７】
ガラス板３４は、窓孔３０と略同形状をなし、前扉３の背面側より窓孔３０の周縁部に当接した状態で取付けられる。また、窓枠部３１の内周側には合成樹脂よりなる環状の内周枠３５が取着される。内周枠３５は、前端部がガラス板３４の背面側に当接した状態で、装飾枠１１に対しネジ等の締結具により固定される。これにより、ガラス板３４は、内周枠３５と、窓孔３０の周縁部とにより挟持された状態で位置決め固定されることとなる。
【００４８】
また、窓孔３０の下方位置かつ上皿構成部３２の上方位置にあたる窓枠部３１の下辺部には、左右方向に長い略矩形状の開口部３６が設けられている。この開口部３６には透明の透視パネル３７が取付けられている。透視パネル３７は、開口部３６と略同形状をなし、前扉３の背面側より開口部３６の周縁部に当接した状態でネジ等の締結具により装飾枠１１に対し固定される。この透視パネル３７は、後述する情報表示パネル５３８に貼付された情報を視認可能とするものである。
【００４９】
また、装飾枠１１にはランプやスピーカ等が設けられている。例えば、図１２に示すように、窓枠部３１の周縁部のうち、上辺部４０には、中央に中央ランプ表示部４１、その左右両側方に上部スピーカ４２が設けられ、これら中央ランプ表示部４１及び上部スピーカ４２を覆う装飾カバー４３が取着されている。なお、装飾カバー４３は、中央ランプ表示部４１及び上部スピーカ４２に対応して、中央ランプカバー部４３ａ及びスピーカカバー部４３ｂを有している。
【００５０】
また、窓枠部３１の左右両側辺部４６には、側部ランプ表示部４７が設けられるとともに、これを覆う側部ランプカバー４８が取着されている。
【００５１】
下皿構成部３３の後方にはベース枠１０において下部スピーカ５１（図４等参照）が設けられ、その前面側にあたる下皿構成部３３には下部スピーカ５１の前面側を覆う下部スピーカカバー５２が設けられている。下部スピーカ５１の取付構造については後述する。
【００５２】
下皿構成部３３の左右両側方には下部ランプ表示部５３が設けられるとともに、これを覆う下部ランプカバー５４が取着されている。
【００５３】
これら各種ランプ表示部やスピーカにより、遊技の進行に伴って各種報知や演出が行われる。例えば、後述するように「７」図柄が有効ライン上に揃った場合（ビッグボーナスゲームを獲得した場合）には、それを点灯、点滅等によって報知する。
【００５４】
次に上皿構成部３２について詳細に説明する。この上皿構成部３２に対応する部分、すなわち装飾枠１１のうち透視パネル３７の下方にあたる部分には、装飾枠１１の一部が前方へアーチ状に膨出した膨出部６０が形成されている。図８等に示すように、膨出部６０の上面には開口部６１が形成されており、当該膨出部６０は装飾枠１１の背面側に貫通している。そして、この膨出部６０に対し、前扉３の背面側から上皿ユニット７０が取着されている。
【００５５】
ここで上皿ユニット７０について詳細に説明する。図１３は上皿ユニット７０の全体を示す斜視図であり、図１４は後述する箱体２１２を取外した状態の上皿ユニット７０の全体を示す斜視図であり、図１５は上皿ユニット７０の平面図であり、図１６は上皿ユニット７０の底面図であり、図１７は上皿ユニット７０の分解斜視図である。また、図１８は、上皿ユニット７０を構成する後述する上皿７１の全体を示す斜視図であり、図１９は上皿７１の平面図であり、図２０は上皿７１に対し後述するカードユニット操作装置７２を取付け、そのカバー１４０，１４１を取外した状態を示す斜視図である。
【００５６】
上皿ユニット７０は、本体部となる球貯留手段としての上皿７１と、この上皿７１に組み付けられるカードユニット操作装置７２、球返却機構７３、球止め機構７４、マックスベットスイッチ７５、天井カバー７６などからなる。以下、順に上皿７１等について詳細に説明していく。
【００５７】
上皿７１は、後述する払出機構部５６５より払い出される遊技球や、遊技機設置島などにおいてパロット機１に併設される球貸サンドなどの球貸装置（プリペイドカード対応又は非対応の球貸装置）のノズルから供給される遊技球を貯留するとともに、後述する取込装置３００へ供給する機能を有している。
【００５８】
上皿７１は、合成樹脂材料により左右方向に長く上方に開口した略箱状に形成されており、その内部に遊技球を貯留可能となっている。また、本実施形態における上皿７１は、その前後幅が比較的幅広に設定されており、膨出部６０への取着時においては前後方向略中央部より前側が上記透視パネル３７の位置より前方に位置し、後側部分が透視パネル３７より後方に位置する（図６等参照）。従って、本実施形態では、透視パネル３７も装飾枠１１（前面体）の前面部の一部を構成する。
【００５９】
上皿７１の開口部周縁にはフランジ７９が設けられており、上皿ユニット７０はこのフランジ７９が膨出部６０の開口部６１周縁に載置された状態で取付けられる。上皿７１の左右側壁部７１ａ，７１ｂには固定部８８が設けられており、上皿７１はこの固定部８８を介してネジ等により装飾枠１１に対し固定される。
【００６０】
上皿７１の奥壁部８０の左端には切欠き状の受口部８１が形成されており、この受口部８１を介して払出手段としての払出機構部５６５から払い出される遊技球が上皿７１へ排出される。受口部８１が本実施形態における導入部を構成する。
【００６１】
一方、最下流側にあたる底部８２の右端には、前後方向略中央部より後側部分すなわち透視パネル３７より後方に位置する後側部分において、下方へ開口した導出部としての取込口８３が形成されている。この取込口８３は後述する取込装置３００の上方に位置する。
【００６２】
上皿７１の底部８２はパロット機１正面から見て左側から右側に向けて下方へ傾斜しており、上皿７１上の遊技球は取込口８３へ向けて流れ、この取込口８３を介して取込装置３００へと導かれる。
【００６３】
上皿７１の左右方向略中央部より左側部分すなわち上流側部分には、前後幅が比較的広く、より多くの遊技球を貯留できるスペース（以下、貯留部８４という）が確保されている。
【００６４】
一方、上皿７１の右側部分すなわち下流側部分には、取込口８３へ通じる前後幅の比較的狭い整流部８５が設けられている。この整流部８５は、取込口８３ひいては取込装置３００に向けて遊技球を整列しつつ誘導する機能を有する。より詳しくは、上皿７１の奥壁部８０の右端部分は後方に向けて膨出しており、これに伴い整流部８５は下流側に向け前後幅が広がった構成となっている。
【００６５】
また、整流部８５の下流側には、奥壁部８０が膨出した区間に対応して、２つの誘導リブ８６が設けられている。これにより、遊技球を１列に整列させつつ取込口８３へ向けて流下させる３条の整流球通路８７が形成される。なお、誘導リブ８６は奥壁部８０の膨出部分の形状に合わせて前後方向に緩やかに湾曲するとともに、下流側に向けて先太りした形状となっている。そして、３つの整流球通路８７は下流側で左右方向に沿って延在し前後方向に等間隔で並んでいる。この３つの整流球通路８７の最下流部における配置間隔は、取込装置３００の３つの取込ユニット３０５の配置間隔に合わせたものである。
【００６６】
上記整流部８５の前方には、整流部８５の傾斜方向とは逆方向、すなわち左側に向け下方へ傾斜した逆傾斜部９０が設けられている。従って、整流部８５では、当該整流部８５と逆傾斜部９０との間に形成された段差部９１により、遊技球の前方への動きが規制される。また、逆傾斜部９０の奥側には仕切リブ９２が突設されている。これにより、逆傾斜部９０から整流部８５側へ遊技球が落下し、整流部８５において遊技球が重畳されることを防止している。
【００６７】
さらに、逆傾斜部９０の手前側には奥側に向け下方に傾斜した奥向き傾斜部９５が形成されている。逆傾斜部９０と奥向き傾斜部９５との間には段差９６が形成され、逆傾斜部９０から前方への遊技球の動きが規制されている。同様に、上皿７１の前壁部９８の頂部と奥向き傾斜部９５との間には段差９９があり、奥向き傾斜部９５から前方への遊技球の動きが規制されている。
【００６８】
奥向き傾斜部９５の左方にはマックスベットスイッチ７５が取着されている。より詳しくは、奥向き傾斜部９５の左方の背面側にはマックスベットスイッチ７５を取付けるための収容凹部１００が形成されており、ここにマックスベットスイッチ７５が取着されている。
【００６９】
マックスベットスイッチ７５は、上皿７１に開口形成されたボタン孔１０２を介して上皿７１の上面側に露出したマックスベットボタン７８と、当該マックスベットボタン７８の押圧操作を検出する検出センサを搭載し収容凹部１００に取付けられるスイッチ基板７７とからなる。また、マックスベットボタン７８内には図示しないＬＥＤが設けられており、当該ＬＥＤが点灯表示されることによって押圧操作が可能であることが報知され、消灯表示によって押圧操作が不能であることが報知されるようになっている。
【００７０】
また、逆傾斜部９０及び奥向き傾斜部９５の右方かつ取込口３３の前方位置には、その背面側においてカードユニット操作装置７２を取付けるための収容凹部１１０が形成されている。この収容凹部１１０に対応する上皿７１の上面部は膨出しており、この膨出した部位にカードユニット操作装置７２を操作するための操作面１１１が形成される。
【００７１】
ここでカードユニット操作装置７２について詳しく説明する。カードユニット操作装置７２は、プリペイドカード対応の球貸装置のカードユニットを操作するものであり、ベース部材１１２と、当該ベース部材１１２に搭載されたカードユニット操作基板１１３とを備えている。カードユニット操作基板１１３には、球貸スイッチ１１５と、返却スイッチ１１６と、７セグメントＬＥＤよりなる３桁表示の度数表示部１１９とが設けられている。さらに、球貸スイッチ１１５を操作するための球貸ボタン１１７と、返却スイッチ１１６を操作するための返却ボタン１１８とが、操作面１１１側に載置されている。
【００７２】
遊技ホールにおいてパロット機１の側方に配置される球貸装置に紙幣やカード等を投入した状態でカードユニット操作装置７２が操作されると、その操作に応じて遊技球の貸出しが行われる。球貸ボタン１１７はカード等（記録媒体）に記録された情報に基づいて貸出球（貸球）を得るために操作されるものであり、カード等に残額が存在する限りにおいて貸出球が上皿７１に供給される。返却ボタン１１８はカードユニットに挿入されたカード等の返却を求める際に操作されるものである。度数表示部１１９はカード等の残額情報を表示するものである。なお、プリペイドカード非対応の球貸装置等からカードユニットを介さずに上皿７１へ遊技球が直接貸出される遊技機、いわゆる現金機ではカードユニット操作装置７２が不要となる。この場合、操作面１１１（又は上カバー１４１）部分に装飾シール等が貼付される。つまり、本実施形態におけるパロット機１は、プリペイドカード対応又は非対応の球貸装置どちらにも対応するように構成されている。
【００７３】
収容凹部１１０にはボス１２３が設けられており、当該ボス１２３に対しベース部材１１２がネジ等の締結具により固定される。
【００７４】
操作面１１１には、度数表示部１１９に対応した表示部用開口部１３１、球貸ボタン１１７に対応したボタン孔１３２、返却ボタン１１８に対応したボタン孔１３３が、それぞれ収容凹部１１０に貫通するように設けられている。そして、球貸ボタン１１７及び返却ボタン１１８から垂下した図示しない軸部がボタン孔１３２，１３３を介して各スイッチ１１５，１１６に当接している。これにより各スイッチ１１５，１１６が操作される。
【００７５】
また、操作面１１１側には、その上面を覆う下カバー１４０と、当該下カバー１４０の上面を覆う上カバー１４１とが取付けられている。
【００７６】
下カバー１４０の前側及び後側にはそれぞれ一対の係止爪１４３，１４４が設けられており、この係止爪１４３，１４４を上皿７１に係止することにより下カバー１４０が固定される。
【００７７】
上カバー１４１は、下カバー１４０の上側から、前側に設けられた一対の係止爪１４５を皿体７１に係止するとともに、後側をネジ等により固定することにより、上皿７１に対し固定される。
【００７８】
下カバー１４０は、内部を視認困難とするよう着色の施された半透明の合成樹脂材料により形成されている。但し、度数表示部１１９に対応する部分は透視可能に構成されている。また、球貸ボタン１１７及び返却ボタン１１８に対応した位置にはボタン孔１５１，１５２が設けられている。
【００７９】
上カバー１４１は、無色透明の合成樹脂材料により形成されており、下カバー１４０の表面に記載される各種情報（例えば「球貸」等の文字）を視認可能となっている。さらに、上下カバー１４０，１４１を透かして度数表示部１１９を視認可能となる。また、球貸ボタン１１７及び返却ボタン１１８に対応した位置にはボタン孔１５３，１５４が設けられている。従って、下カバー１４０のボタン孔１５１，１５２、及び、上カバー１４１のボタン孔１５３，１５４を介して、球貸ボタン１１７及び返却ボタン１１８が操作可能なように露出した状態となる。
【００８０】
また、上カバー１４１の上面は、前側が前方に向けて下方へ傾斜し、後側が後方に向けて下方へ傾斜した構成となっており、遊技球を停留させない構成となっている。
【００８１】
次にカードユニット操作装置７２の下側に取付けられる球返却機構７３について詳しく説明する。球返却機構７３は取込装置３００の返却シャッタ３４１を駆動させ、上皿７１に貯留されている遊技球を後述する下皿２５３へ排出させるために操作されるものである。図２１は球返却機構７３の斜視図であり、図２２は平面図である。
【００８２】
球返却機構７３は、各部材の取付台となるベースカバー１６０と、当該ベースカバー１６０の上面側に回動自在に軸支された第１回動部材１６１と、当該第１回動部材１６１より後方位置において回動自在に軸支された第２回動部材１６２と、第１回動部材１６１の前方位置に設けられた返却操作手段としての返却レバー１６３とを備えている。
【００８３】
ベースカバー１６０は、上記カードユニット操作装置７２のベース部材１１２の裏面に設けられたボス１６５に対しネジ等により固定される。
【００８４】
第１回動部材１６１は、ベースカバー１６０の略中央部で回動自在に軸支された略円筒状の本体部１６６と、当該本体部１６６から略前方へ突出しベースカバー１６０の外側へ突き出した前片部１６７と、本体部１６６から略後方へ突出した後片部１６８とを備えている。
【００８５】
前片部１６７の前端部近傍には上下方向に貫通した貫通孔１６９が設けられ、後片部１６８の後端部には切欠き状の凹部１７２が設けられている。
【００８６】
第２回動部材１６２は、第１回動部材１６１より後方位置において回動自在に軸支された略円筒状の本体部１７３と、当該本体部１７３から略左方へ突出した左片部１７５と、本体部１７３から略右方へ突出しベースカバー１６０の外側へ突き出した右片部１７７とを備えている。
【００８７】
左片部１７５の先端には上方へ向け突出した略円柱状の軸部１７６が設けられており、この軸部１７６が第１回動部材１６１の凹部１７２に挿し込まれている。これにより第１回動部材１６１の回動に連動して第２回動部材１６２が回動する。
【００８８】
返却レバー１６３は左右方向へスライド自在にベースカバー１６０の前端部に載置されている。返却レバー１６３の左右方向略中央部には上方へ向け突出した略円柱状の軸部１７１が設けられており、この軸部１７１が前記第１回動部材１６１の前片部１６７に設けられた貫通孔１６９に対し下側から挿し込まれている。これにより返却レバー１６３の左右方向の動きに連動して第１回動部材１６１が回動する。
【００８９】
第１回動部材１６１の前片部１６７と前記ボス１６５との間にはコイルばね１８０が掛けられており、通常時には返却レバー１６３が右側に付勢されている。
【００９０】
また、上記上皿構成部３２の膨出部６０の右下部には返却レバー１６３に対応して開口部１８１が設けられており、返却レバー１６３が遊技者により操作可能なようにパロット機１前面側に露出している。
【００９１】
そして、遊技者が上皿７１に貯留されている遊技球を取り出そうとした場合には、コイルばね１８０の付勢力に抗して返却レバー１６３を左方へスライドさせる。これに連動して、第１回動部材１６１が、球返却機構７３の上方から見て時計回りに回動するとともに、第２回動部材１６２が反時計回りに回動する。この結果、第２回動部材１６２の右片部１７７により取込装置３００の返却シャッタ３４１が操作され、上皿７１内の遊技球が下皿２５３へ排出される。返却シャッタ３４１の動作態様の詳細については後述する。
【００９２】
次に上皿７１の裏面側に取付けられた球止め機構７４について詳しく説明する。図２３は球止め機構７４の分解斜視図であり、図２４は球止め機構７４の動作態様等について説明するための図である。
【００９３】
球止め機構７４は、取込口８３近傍の整流部８５裏面側に取付けられている。球止め機構７４は、当該球止め機構７４の内部機構を下側から覆うベースカバー１８５と、上皿７１の裏面に略当接した状態で左右方向にスライド自在に設けられたスライドベース１８６と、当該スライドベース１８６を操作する操作レバー１８７とを備えている。
【００９４】
ベースカバー１８５は上皿７１の裏面に対しネジ等により固定される。ベースカバー１８５の上面には前後一対の軸受部１８９が突設されている。各軸受部１８９の先端部は略円弧状に切り欠かれている。さらに、ベースカバー１８５の奥壁部１９０には両軸受部１８９の奥方において切欠き状のＵ字溝１９１が設けられ、前壁部１９２には両軸受部１８９の前方においてＵ字凹部１９３が設けられている。
【００９５】
操作レバー１８７は、両軸受部１８９、Ｕ字溝１９１及びＵ字凹部１９３に載置される略円柱状の軸部１９４と、Ｕ字溝１９１より後方に突き出しパロット機１背面側から操作可能となった操作部１９６とを備えている。
【００９６】
また、軸部１９４から径方向に沿って突出した第１突片１９７及び第２突片１９８をそれぞれ３つずつ備えている。第１突片１９７と第２突片１９８は軸部１９４の周方向に対して９０度ずれた位置に配置されている。
【００９７】
また、スライドベース１８６は、下方へ突出した第１壁部２０１及び第２壁部２０２を備えている。両壁部２０１，２０２は操作レバー１８７の軸部１９４を挟むように対峙しており、パロット機１の背面側から見て、第１壁部２０１は軸部１９４の左方に位置し、第２壁部２０２は軸部１９４の右方に位置している。
【００９８】
また、パロット機１の背面側から見て左側にあたる、スライドベース１８６の取込口８３側には３つの突出部２０４が設けられ、各突出部２０４の先端にはそれぞれ一対の爪部２０５が突設されている。
【００９９】
各突出部２０４は、上記整流部８５の裏面側において３条の整流球通路８７に沿って形成された図示しない溝部に嵌め込まれており、スライドベース１８６のスライド動作に伴って爪部２０５が取込口８３内外に出没可能となっている。
【０１００】
ここで球止め機構７４の動作態様について説明する。通常時、スライドベース１８６は、図２４（ａ）に示すようにパロット機１の背面側から見て右側によっており、爪部２０５が取込口８３から没した状態となっている。この状態において、操作レバー１８７は、第１突片１９７が下方を向き、第２突片１９８が右方を向いた状態となっている。
【０１０１】
この状態から、操作レバー１８７をパロット機１の背面側から見て時計回りに回動させることにより、第１突片１９７によってスライドベース１８６の第１壁部２０１が取込口８３側へ押される。これによりスライドベース１８６が取込口８３側へスライドし、図２４（ｂ）に示すように爪部２０５が取込口８３内に突出した状態となる。この状態では、爪部２０５と後述する箱体２１２の上底壁部２３２との間隔が遊技球の通過不能な間隔となり、遊技球が取込口８３から落下不能となる。また、この状態において、操作レバー１８７は、第１突片１９７が左方を向き、第２突片１９８が下方を向いた状態となる。
【０１０２】
球止め解除する際には、操作レバー１８７をパロット機１の背面側から見て反時計回りに回動させる。これにより、第２突片１９８によってスライドベース１８６の第２壁部２０２が右方へ押され、スライドベース１８６が右方へスライドし、爪部２０５が取込口８３から没した状態となる。これにより遊技球が取込口８３へ落下可能となる。
【０１０３】
次に上皿７１に組付けられるカバー体としての天井カバー７６について図１３〜１５を参照して詳細に説明する。天井カバー７６は、上皿７１と装飾枠１１との間に隙間を生じさせないために設けられたものであり、透視パネル３７の位置より後側部分、すなわち上皿７１の前後方向略中央部より後側部分の天井部分を覆うように設けられている。
【０１０４】
天井カバー７６は、上皿７１の奥壁部８０に沿って左右方向略全域に設けられるとともに後方へ向け下方に傾斜した天板体２１０と、当該天板体２１０の左右両側部から下方へ垂設された側壁部２１１と、天板体２１０とは別体で設けられ、当該天板体２１０に組付けられる箱体２１２とからなる。天板体２１０の後縁部及び側壁部２１１が、上皿７１の奥壁部８０及び左右側壁部７１ａ，７１ｂに対しそれぞれネジ等により固定されることにより、天井カバー７６が上皿７１に対し固定される。天板体２１０が本実施形態における天井カバー７６（カバー体）の本体部を構成し、箱体２１２が導出部カバー体を構成する。
【０１０５】
また、天板体２１０は、その前縁部が装飾枠１１の背面側にネジ等により固定される。天板体２１０の前縁部には前方へ突出したリブ２１６が設けられており、天板体２１０の前縁部が固定される際には、このリブ２１６が装飾枠１１の背面側に設けられた図示しない溝部に係合された状態となる。これにより、天板体２１０と装飾枠１１との隙間からパロット機１内部へ針金等を侵入させ、内部機器を操作するといった不正行為の防止が図られている。
【０１０６】
天板体２１０は、透光性を有する樹脂材料により成形されている。これは後述する冷陰極管（蛍光灯）５３９から発せられる光を上皿７１側へ透過させるためである。天板体２１０は本実施形態における透光手段を構成する。
【０１０７】
天板体２１０の右端部近傍には、上記整流球通路８７及び取込口８３に対応してその上方位置に開口部２１７が設けられており、この開口部２１７の上方から上記箱体２１２が嵌め込まれている。
【０１０８】
箱体２１２は、上方に開口した略箱状をなし、その開口部の周縁形状が前記天板体２１０の開口部２１７の周縁形状と略同一形状となっている。また、箱体２１２の開口周縁部にはフランジ２１８が形成されており、これが天板体２１０の開口部２１７周縁に形成された段差部２１９に係合することにより、箱体２１２が天板体２１０に対し位置決めされた状態で組付けられる。そして、メインユニット４が上方位置に配置された際には、当該メインユニット４により上方への移動が規制される。換言すれば、メインユニット４が上方位置より移動した場合には、箱体２１２の上方への規制がなくなるため、前扉３の背面側から箱体２１２を容易に取外すことができる。これにより、整流球通路８７や、取込口８３の下方に位置する取込装置３００等の清掃作業や点検、修理等を行うことができ、メンテナンス性の向上が図られる。
【０１０９】
箱体２１２は、取込口８３の直上方に位置する下底壁部２３１と、当該下底壁部２３１と所定の段差をもって形成され整流球通路８７の直上方に位置する上底壁部２３２とを備えるとともに、これら下底壁部２３１及び上底壁部２３２からなる底部の周囲を囲むように設けられた前壁部２３３、後壁部２３４、左壁部２３５及び右壁部２３６を備えている。下底壁部２３１及び上底壁部２３２が本実施形態における導出部カバー体の底壁部を構成し、前壁部２３３、後壁部２３４、左壁部２３５及び右壁部２３６により周壁部が構成される。
【０１１０】
箱体２１２の組付け状態において、下底壁部２３１は取込装置３００（停留傾斜部３０８）の天井部を構成し、上底壁部２３２は整流球通路８７の天井部を構成する（図２４参照）。これにより、後述するように上記整流球通路８７により案内される遊技球を一列で通過させ、取込装置３００内へと通じる球通路が形成される。
【０１１１】
また、箱体２１２の組付け状態において、前壁部２３３は上記カードユニット操作装置７２の上カバー１４１の背面部に当接するとともに、その上部がパロット機１の前面側に露出した状態となる。また、後壁部２３４は上皿７１の奥壁部８０の前面部に当接し、右壁部２３６は上皿７１の右側壁部７１ｂの内側面（図２４参照）に当接する。
【０１１２】
一方、左壁部２３５は上皿７１の上流側に向いて露出した状態となっている。これにより、上皿７１内を流れる遊技球は最終的には上下に積み重なることなく下流側の整流球通路８７へ流下していく。従って、整流部８５に多量の遊技球が流れ込んできたとしても、遊技球の噛み込みが抑制され、取込口８３近傍における球詰まりが解消されるようになっている。
【０１１３】
なお、天板体２１０が透光性を有する樹脂材料により形成されているのに対し、箱体２１２は金属材料により形成されている。箱体２１２は本実施形態における遮光手段を構成する。これは、箱体２１２に孔を開け、この孔を介してパロット機１内部へ針金等を侵入させ、内部機器を操作するといった不正行為の防止を図るためである。これにより、例えば針金等を取込装置３００内へ差込み、あたかも遊技球が取り込まれたようにする不正行為や、ひいては実際には取込まれていない遊技球を返却レバー１６３を操作して不正に払出（返却）させる不正行為などの防止が図られる。従って、箱体２１２は、不正対象物となる取込装置３００及び当該取込装置３００へ連通する取込口８３等の球通路部の遊技機前面側への露出を抑えるように少なくとも一部が遊技機前面側に露出した状態で配置されるカバー手段を構成する。この場合、箱体２１２の内側面、すなわち下底壁部２３１、上底壁部２３２、前壁部２３３、後壁部２３４、左壁部２３５及び右壁部２３６の内側面などが、光の当たる非露出面を構成する。なお、箱体２１２は、金属材料に限らず、例えば黒色の導電性ポリカーボネイト樹脂等のように遮光性を有する他の材料により形成してもよい。
【０１１４】
また、天板体２１０には、上皿７１の受口部８１の前方位置において、当該受口部８１の左右方向略全域に対応して突出部２２０が下方に向け突出形成されている。突出部２２０部分には遮光性を有する皮膜部が形成されており、本実施形態における遮光手段を構成する。本実施形態のように、大量の遊技球の払出しに対応して受口部８１を比較的大きく形成した構成において、突出部２２を設けることにより、受口部８１を介して払出機構部５６５に針金等を挿し込み、不正に遊技球を払出させる不正行為などが行いにくくなる。従って、突出部２２０は、不正対象物となる払出機構部５６５へ連通する受口部８１等の球通路部の遊技機前面側への露出を抑えるように少なくとも一部が遊技機前面側に露出した状態で配置されるカバー手段を構成する。この場合、突出部２２０の上面、すなわち天板体２１０の上面が、光の当たる非露出面を構成する。また、突出部２２０を、遮光性を有する材料により天板体２１０と別体で形成した構成としてもよい。
【０１１５】
さて、一般的に、遊技ホールではパロット機１の左側に球貸装置が設けられており、プリペイドカード対応の球貸装置の場合、上述したように紙幣やカード等を投入した状態でカードユニット操作装置７２が操作されると、その操作に応じて遊技球の貸出が行われる。実際には球貸装置に設けられたノズルを介して遊技球がパロット機１（上皿７１）に供給される。このノズルは、通常、回動可能かつ上方に跳ね上げ可能に構成されている。そこで、本実施形態では、ノズルが上皿７１に向いた球供給位置（貯留部８４上方）にある場合に、このノズルと、装飾枠１１とが干渉しない構成を採用している。具体的には、装飾枠１１における上皿構成部３２より上方でかつ透視パネル３７の側方にあたるノズル対応箇所に、切欠き状の凹部２５０を設けている。
【０１１６】
次に下皿構成部３３について図１等を参照して詳しく説明する。装飾枠１１の下部には前方へ膨出した膨出部２５２が設けられており、当該膨出部２５２に遊技球を貯留するための下皿２５３が取付けられている。また、下皿構成部３３（下皿２５３）の奥壁部２５４の中央部には下部スピーカ５１用のスピーカ開口部２５５が設けられており、このスピーカ開口部２５５に装飾枠１１の背面側から上記下部スピーカカバー５２が取付けられている（図９等参照）。また、パロット機１の正面から見て、スピーカ開口部２５５の右方には排出口２５７が形成されている。
【０１１７】
また、下皿構成部３３（下皿２５３及び膨出部２５２）には球抜き孔２６０が形成されている。この球抜き孔２６０は、通常、膨出部２５２の内部においてスライド自在に設けられた開閉弁２６１により閉塞されている。そして、膨出部２５２の前面に設けられた球抜きレバー２６２を操作してスライドした場合に、球抜き孔２６０が開放され、下皿２５３に貯留されていた遊技球が球抜き孔２６０から下方へ排出される。
【０１１８】
また、膨出部２５２の左右側方には上述したように下部ランプ表示部５３が設けられ、左下部ランプ表示部５３の左方には灰皿２６３が設けられている。
【０１１９】
次に装飾枠１１に設けられた各種操作手段について詳しく説明する。
【０１２０】
上皿構成部３２の膨出部６０の前面左側には後述する各リール５１１〜５１３を回転開始させるための始動操作手段としてのスタートレバースイッチ２６８が設けられている。
【０１２１】
スタートレバースイッチ２６８は、膨出部６０の前面側に突出したスタートレバー２６８ａと、当該スタートレバー２６８ａの操作を検出する検出スイッチを搭載し膨出部６０の背面側に取付けられるスイッチ基板２６８ｂとからなる。
【０１２２】
スタートレバースイッチ２６８の右方には、回転中の各リール５１１，５１２，５１３を個別に停止させるための停止操作手段としてのストップボタンスイッチ２７１，２７２，２７３が設けられている。各ストップボタンスイッチ２７１〜２７３は、それぞれ停止対象となるリール５１１〜５１３の下方に位置している。各ストップボタンスイッチ２７１〜２７３は、左リール５１１が回転を開始してから所定時間が経過すると停止させることが可能な状態となり、かかる状態中には各ボタン内に設けられた図示しないＬＥＤが点灯表示されることによって停止操作が可能であることが報知され、回転が停止すると消灯されるようになっている。
【０１２３】
ストップボタンスイッチ２７１，２７２，２７３は、膨出部６０の前面側に露出したストップボタン２７１ａ，２７２ａ，２７３ａと、当該ストップボタン２７１ａ〜２７３ａの押圧操作を個別に検出する検出センサを搭載し膨出部６０の背面側に取付けられる図示しないスイッチ基板とからなる。
【０１２４】
この他、操作手段としては、遊技球を投入するため（ベット操作を行うための）の入力手段を構成するボタン状の各種ベットスイッチが設けられている。各ベットスイッチは、共に遊技媒体（又は記憶遊技媒体）たる遊技球を必要数分だけ投入するためのものである。本実施の形態では、１ベットスイッチ２７４と上述したマックスベットスイッチ７５とが設けられている。
【０１２５】
１ベットスイッチ２７４は上記透視パネル３７の左方位置に設けられており、マックスベットスイッチ７５は、上述したように上皿ユニット７０の手前やや左側で、スタートレバースイッチ２６８の上方やや右側に位置している。
【０１２６】
１ベットスイッチ２７４は、取付部２７５の前面側に露出した１ベットボタン２７４ａと、当該１ベットボタン２７４ａの押圧操作を検出する検出センサを搭載し取付部２７５の背面側に取付けられるスイッチ基板２７４ｂとからなる。
【０１２７】
１ベットスイッチ２７４に関しては、１回押圧操作される毎に、５個の遊技球が投入されるよう設定されている。より詳しくは、１ベットスイッチ２７４の１回の押圧操作で、上皿７１の遊技球が「５個」ずつ取り込まれる。
【０１２８】
マックスベットスイッチ７５は、前記１ベットスイッチ２７４の複数回（３回）の押圧操作を省略することができるよう設けられているものであって、１回押圧操作される毎に、１５個（３ベット分）の遊技球が取り込まれるよう設定されている。より詳しくは、マックスベットスイッチ７５の１回の押圧操作で、上皿７１の遊技球が「１５個」ずつ取り込まれる。本実施形態における遊技球の取込みは取込装置３００によって行われる。但し、特別遊技状態であるビッグボーナスゲーム中にあっては、マックスベットスイッチ７５の１回の押圧操作により５個分（１ベット分）の遊技球が取り込まれるようになっている。
【０１２９】
また、本実施形態では、後述する５ラインが有効化された（１５個の遊技球が投入された）時点で最大ベット（３ベット）状態となる。つまり、１ベットスイッチ２７４の３回の押圧操作或いはマックスベットスイッチ７５の１回の押圧操作がなされた時点で、それ以上の投入は行われないようになっている。従って、本実施形態では最大ベット（３ベット）状態となった上で、さらにベットスイッチ２７４，７５が押圧操作された場合には、該操作が無効化される構成となっている。
【０１３０】
さて、１ベットスイッチ２７４の配置位置とは反対側にあたる上記透視パネル３７の右方位置には第１演出スイッチ２７７と第２演出スイッチ２７８が設けられている。
【０１３１】
第１演出スイッチ２７７は、取付部２７９の前面側に露出した第１演出ボタン２７７ａと、当該第１演出ボタン２７７ａの押圧操作を検出する検出センサを搭載し取付部２７９の背面側に取付けられる図示しないスイッチ基板とからなる。また、第２演出スイッチ２７８は、取付部２７９の前面側に露出した第２演出ボタン２７８ａと、当該第２演出ボタン２７８ａの押圧操作を検出する検出センサを搭載し取付部２７９の背面側に取付けられる図示しないスイッチ基板とからなる。
【０１３２】
第１演出スイッチ２７７及び第２演出スイッチ２７８は、液晶表示装置５０１等の演出形式を変更するために操作されるスイッチである。これにより、遊技者は自身の好みに応じた形式の演出を実行することができる。
【０１３３】
次に、前扉３の背面構成について説明する。図８等に示すように、ベース枠１０は、上辺部１０ａ、下辺部１０ｂ、左辺部１０ｃ及び右辺部１０ｄからなる枠体形状をなし、そのほぼ中央部には略矩形状の窓孔２８１が形成され、その下部には下辺部１０ｂに沿って左右方向略全域に下部スピーカ５１や取込装置３００等を取付けるための取付台部２８２が形成されている。
【０１３４】
窓孔２８１は、ほぼ装飾枠１１の窓孔３０、透視パネル３７、及び上皿構成部３２（膨出部６０）に対応する範囲、すなわち下皿構成部３３を除く範囲に設けられている。一方、取付台部２８２は、ほぼ装飾枠１１の下皿構成部３３に対応する範囲に設けられている。
【０１３５】
取付台部２８２の背面側には、図７に示すように上記上皿７１の取込口８３の下方位置において取込装置３００が取付けられている。取込装置３００は、図９に示すように取付台部２８２の背面側に形成された収容凹部２８３に取付けられている。
【０１３６】
取込装置３００は、遊技者による遊技球の投入操作が行われた場合に、遊技球を所定個数ずつ取り込む装置である。そして、この取込装置３００により、所定個分の遊技球が取り込まれる毎にその都度の遊技（ゲーム）の開始条件が成立し、遊技開始の準備が整えられる。なお、取込装置３００により取り込まれた遊技球は、収容凹部２８３の下部に設けられた排出通路２８５を介して後述する第２排出通路５８１ｄへ導かれ、パロット機１外部へ排出される。この取込装置３００の詳細は後述する。
【０１３７】
取付台部２８２の背面側ほぼ中央には下部スピーカ５１が取付けられている。下部スピーカ５１は取付台部２８２の背面側に設けられた収容部２８４に取付けられている。収容部２８４には取付台部２８２の前面側に貫通するスピーカ用開口部２８４ａが形成されており、このスピーカ用開口部２８４ａを介して下部スピーカ５１が装飾枠１１側のスピーカカバー５２に対峙する。
【０１３８】
ここで取込手段としての取込装置３００について詳細に説明する。図２５は取込装置３００の正面側の斜視図であり、図２６は背面側の斜視図であり、図２７は取込装置３００の一部を分解して示す分解斜視図であり、図２８は取込装置３００の内部機構を説明するための断面図である。
【０１３９】
取込装置３００は、上皿体７１の３つの整流球通路８７に対応して３つの取込ユニット３０５を備えている。取込装置３００は１つの取込ユニット３０５に設けられた取付部３５１を介してネジ等によりベース枠１０に対し固定される。取付部３５１は補強金具３５２により補強されている。
【０１４０】
各取込ユニット３０５の外形をなす略箱状のハウジング３０６は、合成樹脂製の前後一対のハウジング構成部材（前側ハウジング構成部材３０６ａ及び後側ハウジング構成部材３０６ｂ）をネジ等の締結具により連結することにより構成されている。
【０１４１】
各取込ユニット３０５のハウジング３０６の上部には、当該取込ユニット３０５に対応した上記整流球通路８７に通じる停留傾斜部３０８が形成されている。停留傾斜部３０８は、パロット機１の背面側から見て左側（図２８左側）に向けて比較的緩やかに下方に傾斜している。開放された停留傾斜部３０８の上方位置には上記箱体２１２の下底壁部２３１が位置する（図２４参照）。これにより、上記整流球通路８７から案内される遊技球を取込んで一列で通過させ、ハウジング３０６内へと通じる断面略矩形状かつ筒状の球通路３０９が形成される。球通路３０９は、一般的な遊技球の直径が約１１ｍｍであることから、所要の隙間が出来るように各辺ともその長さが約１２ｍｍに設定されている。
【０１４２】
球通路３０９は、ハウジング３０６内で分岐され、その一方は略鉛直方向に延びる取込通路３１１となり、他方は停留傾斜部３０８に沿って斜め下方に延びる返却通路３１２となる。取込通路３１１は排出通路２８５に連通し、返却通路３１２は下皿２５３の排出口２５７へ通じる図示しない返却中継路に連通している。従って、遊技球の取込みが行われる際には取込通路３１１を遊技球が通り、排出通路２８５及び後述する第２排出通路５８１ｄを介してパロット機１外部へ排出される。一方、上皿７１に貯留された遊技球の返却を行う際には返却通路３１２を介して遊技球が下皿２５３へと排出される。なお、通常の場合、すなわち上記球返却機構７３の返却レバー１６３が操作されていない場合、返却通路３１２は返却シャッタ３４１により遊技球が通過不能に閉鎖されている。返却シャッタ３４１の詳細については後述する。
【０１４３】
次に遊技球の取込みを制御する内部機構について説明する。取込通路３１１より、パロット機１の背面側から見て右側（図２８右側）の通路外スペースには、遊技球の取込みを制御する取込機構３１５が設けられている。
【０１４４】
取込機構３１５は、フリッカー３１６と、ソレノイド３１７と、両者を連動させる駆動伝達部材３１８とから構成されている。
【０１４５】
ソレノイド３１７は、下方に向けて突出するプランジャ３２０を有している。プランジャ３２０の先端部にはプランジャキャップ３２１が取着されている。また、プランジャ３２０にはコイルばね３２２が取着されており、通常時つまりソレノイド３１７の非励磁状態においては、コイルばね３２２の付勢力によりプランジャ３２０が下方へ押下げられている。そして、ソレノイド３１７が励磁状態となると、プランジャ３２０がコイルばね３２２に抗して上方へ引き上げられる。
【０１４６】
フリッカー３１６は、取込通路３１１近傍において支軸３２３により回動自在に軸支されている。一方、取込通路３１１の上端部近傍の通路壁３３７には開口部３３８が設けられている。そして、フリッカー３１６の回動に伴い、フリッカー３１６先端の爪部３１６ａが開口部３３８を介して取込通路３１１内外へ出没する。これにより、取込通路３１１は開放又は閉鎖され、遊技球の通過が許容又は阻止される。より詳しくは、フリッカー３１６の爪部３１６ａが取込通路３１１内へ突出している状態においては、取込通路３１１を遊技球が通過不能となる。この場合、返却シャッタ３４１が通路閉鎖位置にある通常時においては、それより上流側の球通路３０９（停留傾斜部３０８）おいて遊技球が停留されることとなる。一方、フリッカー３１６の爪部３１６ａが取込通路３１１外へ没している状態においては、取込通路３１１を遊技球が通過可能となる。この場合、返却シャッタ３４１が通路閉鎖位置にある通常時においては、取込通路３１１を通って遊技球が流下していくこととなる。
【０１４７】
また、フリッカー３１６の下方において、略く字形状をなす上記駆動伝達部材３１８が支軸３２４により回動自在に軸支されている。そして、この駆動伝達部材３１８の先端部がフリッカー３１６の下端部に係合され、駆動伝達部材３１８の動きに連動してフリッカー３１６が回動可能となる。
【０１４８】
また、駆動伝達部材３１８の下後端には上記プランジャキャップ３２１が係合され、プランジャ３２０の上下動に連動して、駆動伝達部材３１８、ひいてはフリッカー３１６が回動することとなる。
【０１４９】
また、取込通路３１１には、フリッカー３１６の爪部３１６ａが突出する位置のすぐ下流側に第１カウントセンサ３２８が設置され、下流側端部において第２カウントセンサ３２９が設置されている。これらカウントセンサ３２８，３２９は、取込機構３１５による取込通路３１１の開放時において当該取込通路３１１を通過する遊技球を検知するものである。これにより、遊技の開始条件である所定個数の遊技球の取込みが検知できる。
【０１５０】
第１カウントセンサ３２８は、上下一対の検知部３２８ａ，３２８ｂを有している。各検知部３２８ａ，３２８ｂは、発光素子及び受光素子を備えたフォトセンサにて構成されており、取込通路３１１を挟んで例えば前側に発光素子が、後側に受光素子が配設されている。また、各検知部３２８ａ，３２８ｂは、取込通路３１１の中心線よりも側方にずれた位置に設けられるとともに、１つの遊技球を同時に検出可能な上下間隔に配置されている。
【０１５１】
また、各検知部３２８ａ，３２８ｂの発光素子及び受光素子は、前側ハウジング構成部材３０６ａ及び後側ハウジング構成部材３０６ｂの通路壁に設けられた透孔３３０ａ，３３０ｂを通じて発光又は受光して、遊技球の通過を検知する。
【０１５２】
ここで第１カウントセンサ３２８による遊技球の検出手順について説明する。遊技球が上側の検知部３２８ａに達すると当該遊技球が検知され、オン信号が出力される。続いて下側の検知部３２８ｂに達すると当該検知部３２８ｂからオン信号が出力される。その後、遊技球が上側の検知部３２８ａの位置を過ぎると当該検知部３２８ａからの信号出力がオフされる。さらに、遊技球が上側の検知部３２８ｂの位置を過ぎると当該検知部３２８ｂからの信号出力がオフされる。この場合、所定の時間条件の下、上側の検知部３２８ａ、下側の検知部３２８ｂの順で各検知部３２８ａ，３２８ｂがオンオフした時にのみ遊技球が正規に取り込まれたと判断される。仮に上側の検知部３２８ａに検知されてから下側の検知部３２８ｂに検知されるまでに所定時間を経過した場合などにおいては、取込通路３１１内において球詰まりなどの不具合や不正行為が発生したと判別される。これにより、例えば針金等を当該取込通路３１１内へ差込み、あたかも遊技球が取り込まれたようにするなどの不正行為の防止策がとられている。
【０１５３】
また、第２カウントセンサ３２９は近接センサであり、遊技球が孔部３２９ａを通過することにより遊技球の通過を検知する。本実施形態では、第１カウントセンタ３２８の検出結果と、第２カウントセンサ３２９の検出結果に基づき、第１カウントセンタ３２８により遊技球の通過が検知されたにも関わらず、第２カウントセンサ３２９によって、遊技球が検知できない場合等は、上記同様に、取込通路３１１内において球詰まりなどの不具合や不正行為が発生したと判別される。
【０１５４】
また、３つの取込ユニット３０５の側方には、当該３つの取込ユニット３０５に跨って１つの取込中継基板３３５と、当該取込中継基板３３５を覆う１つの基板カバー３３６とが取付けられている。取込中継基板３３５は、各取込ユニット３０５のソレノイド３１７やカウントセンサ３２８，３２９等と、後述する主制御装置５２０との電気的接続を中継する基板である。
【０１５５】
次に返却通路３１２を開閉する開閉機構について説明する。各取込ユニット３０５の返却通路３１２の通路前後壁には貫通孔３４０が形成されている。この貫通孔３４０には、３つの取込ユニット３０５を貫くように返却シャッタ３４１が挿し込まれている。
【０１５６】
貫通孔３４０は、取込通路３１１との分岐部分近傍において設けられており、当該貫通孔３４０に挿し込まれた返却シャッタ３４１は、通常時すなわち上記球返却機構７３の返却レバー１６３が操作されていない場合においては取込通路３１１の通路壁として機能する。つまり、通常時は、返却通路３１２は返却シャッタ３４１により遊技球が通過不能に閉鎖されている。
【０１５７】
より詳しくは、図２９に示すように、返却シャッタ３４１は、前後方向に長い略平板状をなし、遊技球が通過可能な略矩形状の通過口３４２を各返却通路３１２に対応して３つ備えている。また、返却シャッタ３４１の前端部には、上記球返却機構７３の第２回動部材１６２が接触する受部３４３が設けられている。一方、返却シャッタ３４１の後端部には、コイルばね３４５が嵌め込まれるバネ受部３４６と、その下方において後述するシャッタセンサ３４９により検知されるインデックス部３４７とが設けられている。また、各通過口３４２の下方位置には規制爪３４４がそれぞれ突設されている。
【０１５８】
また、取込装置３００の後部には、コイルばね３４５とシャッタセンサ３４９を収容するシャッタキャップ３４８が設けられている。シャッタセンサ３４９は、発光素子及び受光素子を備えたフォトセンサにて構成されており、本実施形態では左側に発光素子３４９ａ、右側に受光素子３４９ｂが配設されている。
【０１５９】
図３０（ａ）に示すように、通常時、返却シャッタ３４１は、コイルばね３４５によりバネ受部３４６が最後部の取込ユニット３０５の背面側（後側ハウジング構成部材３０６）に付勢された状態となっており、各通過口３４２の位置が停留傾斜部３０８及び返却通路３１２の位置より前方へずれた状態となっている。また、インデックス部３４７は、シャッタセンサ３４７の位置より前方に位置している。つまり、返却シャッタ３４１は、遊技球が返却通路３１２へ流入できない通路閉鎖位置にある。
【０１６０】
図３０（ｂ）に示すように、上記球返却機構７３の返却レバー１６３が操作された場合には、第２回動部材１６２に押されることにより、返却シャッタ３４１はコイルばね３４５に抗して後方へスライドする。これにより、返却シャッタ３４１は、遊技球が返却通路３１２へ流入可能な通路開放位置をとる。この状態では、各通過口３４２の位置が停留傾斜部３０８及び返却通路３１２の位置と一致する。そして、規制爪３４４により取込通路３１１への遊技球の落下が規制されるため、遊技球は返却通路３１２へと流れていく。これにより、上皿７１内の遊技球が返却通路３１２を介して下皿２５３へ排出されることとなる。この際、シャッタセンサ３４９の発光素子３４９ａ及び受光素子３４９ｂ間にインデックス部３４７が差し込まれる。これにより球返却機構７３の操作がなされたことが検知される。この検知がなされている間、取込装置３００による取込みは停止される。また、取込装置３００によって既に取り込まれ遊技球が存在する場合には、インデックス部３４７が検知されることによって、取込球数分の遊技球が払出機構部５６５より上皿７１へ返却される。
【０１６１】
また、球返却機構７３の返却レバー１６３の操作を止めることにより、コイルばね３４５の付勢力によって返却シャッタ３４１は通路閉鎖位置へ復帰する。
【０１６２】
次にパロット機１の背面構成について詳しく説明する。ベース枠１０の背面には各種制御基板や払出機構等がメインユニット４及び裏機構ユニット５としてまとめられた状態で取付けられている。
【０１６３】
メインユニット４は、リールユニット、主制御装置、サブ制御装置などを１ユニットとしたものである。また、裏機構ユニット５は、払出制御装置、電源装置、払出機構などを１ユニットとしたものである。
【０１６４】
ここで、まずメインユニット４について詳しく説明する。図３１はメインユニット４の正面側の斜視図であり、図３２はメインユニット４の背面側の斜視図であり、図３３はメインユニット４の正面図であり、図３４は正面側から見たメインユニット４の分解斜視図であり、図３５は背面側から見たメインユニット４の分解斜視図である。
【０１６５】
メインユニット４は、合成樹脂材料よりなる遊技パネルベース５００を備えている。遊技パネルベース５００は、その前面側ほぼ全域が前扉３の窓孔３０（ガラス板３４）を介して視認可能となる。
【０１６６】
遊技パネルベース５００には、その上部に液晶表示装置５０１、ほぼ中央部に可変表示手段としてのリールユニット５０２、下部に情報表示装置５０３が取付けられている。
【０１６７】
液晶表示装置５０１は、取付台５０４に搭載された状態で遊技パネルベース５００の背面側にネジ等により固定される。この液晶表示装置５０１が取付けられる遊技パネルベース５００の上部には、液晶表示装置５０１に対応した略矩形状の開口部５０５が形成されており、液晶表示装置５０１の表示部５０１ａが前面側に露出している。つまり、液晶表示装置５０１の表示部５０１ａが前面側から視認可能となっている。
【０１６８】
リールユニット５０２は、遊技パネルベース５００の背面側にネジ等により固定される。図３６に示すようにリールユニット５０２は、略箱状をなす金属フレーム５０７内に円筒状の左リール５１１，中リール５１２，右リール５１３を備えている。
【０１６９】
各リール５１１〜５１３は、その中心軸線が当該リールの回転軸線となるように回転可能に支持されている。各リール５１１〜５１３の回転軸線は略水平方向に延びる同一軸線上に配設されている。
【０１７０】
このリールユニット５０２が取付けられる遊技パネルベース５００の略中央部には、リール５１１〜５１３に対応した略矩形状の開口部５１５が形成されており、各リール５１１〜５１３の表面の一部が開口部５１５を介して視認可能な状態となっている。
【０１７１】
リール５１１〜５１３が正回転すると、開口部５１５を介してリール５１１〜５１３の表面が上から下へ向かって動いているように視認される。
【０１７２】
これら各リール５１１〜５１３は、それぞれが駆動手段としての図示しないステッピングモータに連結されており、各ステッピングモータの駆動により各リール５１１〜５１３が個別に回転駆動する構成となっている。また、各リール５１１〜５１３の回転位置を個別に検出する図示しない回転位置検出センサが設けられており、その検出結果に基づき各リール５１１〜５１３の回転制御が行われる。
【０１７３】
各リール５１１〜５１３の外表面には、それぞれ識別情報としての図柄（シンボル）が多数付されている。これらの図柄のうち、開口部５１５を介して視認可能な図柄数は、主として開口部５１５の上下方向の長さによって決定される所定数に限られている。本実施の形態では、各リール５１１〜５１３毎に３個ずつの図柄が視認可能となるよう開口部５１５の上下方向の長さが設定されている。また、各リール５１１〜５１３の内側には、開口部５１５を介して視認可能な図柄を後方より照明するための図示しないバックライトが配置されている。
【０１７４】
リール５１１〜５１３に付される図柄としては、例えば（１）ビッグボーナスゲームに移行するためのビッグボーナス図柄としての「７」図柄及び「ＢＡＲ」図柄、（２）リプレイゲームに移行するための「リプレイ図柄」、（３）小役の払出が行われる小役図柄としての「スイカ」図柄、「ベル」図柄、「チェリー」図柄がある。本実施形態におけるリール５１１〜５１３にはそれぞれ２１個の図柄が一列に設けられている。但し、各リール５１１〜５１３ではそれぞれ同一図柄の数や配置順序が相違している。
【０１７５】
本実施形態では、例えば各リール５１１〜５１３を結ぶようにして、横方向に平行となるように３本、斜め方向にたすき掛けとなるように２本、計５本の有効ラインが設定されている。すなわち、有効ラインとして、上・中・下の横ライン（上ライン、中央ライン、下ライン）と、一対の斜めライン（右上がりライン、右下がりライン）とが設定されている。上記各種ゲームや小役等の遊技価値の付与に関わる図柄が本実施形態における特定識別情報を構成する。例えば後述する「７」図柄は、特別遊技状態としてのビッグボーナスゲームの付与に関わる特定識別情報を構成する。また、各種図柄が停止する各種有効ラインが本実施形態における所定領域を構成する。
【０１７６】
これら各組合せラインに対応して、開口部５１５の正面から見て左側には有効ライン表示部５１６，５１７，５１８が設けられている。第１有効ライン表示部５１６は組合せラインのうち中央の横ライン（中央ライン）が有効化された場合に点灯等によって表示報知される。第２有効ライン表示部５１７は組合せラインのうち上下の横ライン（上ライン及び下ライン）が有効化された場合に点灯等によって表示報知される。第３有効ライン表示部５１８は組合せラインのうち一対の斜めライン（右下がりライン及び右上がりライン）が有効化された場合に点灯等によって表示報知される。そして、有効化された組合せライン、すなわち有効ライン上に図柄が特定の組合せで停止した場合に入賞となり、予め定められた球払出処理や特定遊技への移行処理などが実行される。なお、本実施形態では、各有効ラインは、上記バックライトが上記各ラインに沿って点灯することにより示される。
【０１７７】
本実施形態において、ビッグボーナス図柄の組合せである「７」図柄や「ＢＡＲ」図柄が有効ライン上に左・中・右と揃った場合には、ビッグボーナスゲームに突入する。また、「リプレイ」図柄が有効ライン上に左・中・右と揃った場合には、遊技球の払出しは行われずリプレイゲームに突入する。
【０１７８】
更に、小役図柄に関し、「スイカ」図柄が有効ライン上に左・中・右と揃った場合には７５個の遊技球の払出しが行われ、「ベル」図柄が有効ライン上に左・中・右と揃った場合には４０個の遊技球の払出しが行われる。また、左リール５１１の「チェリー」図柄が有効ライン上に停止した場合には１０個の遊技球の払出しが行われる。
【０１７９】
また、遊技パネルベース５００の背面側に遊技に関する各種の制御を統括的に管理する主制御装置５２０と、当該主制御装置５２０に対して従属的に動作するサブ制御装置５２１とが設置されている。
【０１８０】
ここで主制御装置５２０及びサブ制御装置５２１について詳しく説明する。主制御装置５２０は、リールユニット５０２の右側方に固定される取付台５２２に搭載され、サブ制御装置５２１はリールユニット５０２の上部に固定される取付台５２３に搭載されている。主制御装置５２０は縦長の向きに配置されると共に、サブ制御装置５２１は前後方向にやや傾いた状態で横長の向きに配置されている。
【０１８１】
主制御装置５２０は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板５２５を具備しており、この主基板５２５が透明樹脂材料等よりなる基板ボックス５２６に収容（被包）されて構成されている。
【０１８２】
基板ボックス５２６は、略直方体形状のボックスベース５２６ａと該ボックスベース５２６ａの開口部を覆うボックスカバー５２６ｂとからなる。これらボックスベース５２６ａとボックスカバー５２６ｂとは封印ユニット５２７によって開封不能に連結され、これにより基板ボックス５２６が封印されている。封印ユニット５２７はボックスベース５２６ａとボックスカバー５２６ｂとを開封不能に連結する構成であれば任意の構成が適用できる。但し、主基板５２５には各ケーブルコネクタのコネクタを接続するための端子部が設けられており、該端子部は、基板ボックス５２６から露出状態となっている。かかる端子部の露出は、他の基板及び基板ボックスについても同様である。
【０１８３】
また、サブ制御装置５２１は、主制御装置５２０からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ基板５３０を具備しており、このサブ基板５３０についても当該サブ基板５３０に対応する基板ボックス５３１に収容されて構成されている。本実施形態の基板ボックス５３１は、取付台５２３に一体形成されたボックスベース５３１ａと該ボックスベース５３１ｂの開口部を覆うボックスカバー５３１ｂとからなる。
【０１８４】
また、遊技パネルベース５００の前面側右下部にはカウント表示部５３３及びベット数表示部５３４が設けられている。
【０１８５】
カウント表示部５３３は、３桁或いは２桁の７セグメント表示器によって構成されており、遊技球の投入個数、入賞により獲得した遊技球の個数（獲得賞球数）等が表示される。
【０１８６】
ベット数表示部５３４は、複数のＬＥＤランプにより構成され、ベット数に対応したＬＥＤランプが点灯する。例えば、中央ラインのみが有効化された場合には、１ベットに対応するＬＥＤランプが点灯する。
【０１８７】
次に遊技パネルベース５００の下部に設けられた情報表示装置５０３について詳しく説明する。情報表示装置５０３は、遊技パネルベース５００の下辺部に沿って左右方向略全域に設けられた略平板状の情報表示パネル５３８と、当該情報表示パネル５３８を背面側より照らす発光手段としての冷陰極管（蛍光灯）５３９と、当該冷陰極管５３９を点灯させるためのインバータユニット５４０とからなる。本実施形態における情報表示パネル５３８は透明樹脂材料により構成されている。
【０１８８】
情報表示パネル５３８の前面側には、遊技説明や入賞に係る図柄の組合せ等を記した情報シール、パロット機１の型式名を記したシール、製造番号及び製造業者名を記した証紙などが貼付けられる。
【０１８９】
図６に示すように、前扉３に対しメインユニット４が相対向して配置された状態では、情報表示パネル５３８は上記透視パネル３７の後方位置に配置されるようになっており、パロット機１の前面側から透視パネル３７を介して、情報表示パネル５３８に貼付けられた各種情報が視認可能となっている。
【０１９０】
また、前扉３に対しメインユニット４が相対向して配置された状態では、上記上皿ユニット７０の天井カバー７６（天板体２１０及び箱体２１２）が情報表示装置５０３の下方に位置する。本実施形態における情報表示装置５０３の下部は開放されており、冷陰極管５３９の光が下方へも照射されるようになっている。上述したように天板体２１０は、透光性を有する樹脂材料により成形されているため、冷陰極管５３９から発せられる光は上皿７１側へ透過される。これにより、上皿７１が奥まった位置に貯留された遊技球を冷陰極管５３９から発せられる光により照らすことができ、貯留された遊技球の数量を遊技者が認識しやすくなる。
【０１９１】
これに対し、箱体２１２は金属材料により形成されているため、通常時には、冷陰極管５３９から発せられる光が上皿７１側や前面側へ透過されないようになっている。従って、仮に箱体２１２に孔を開け、この孔を介して針金等を取込装置３００内へ差込み、あたかも遊技球が取り込まれたようにするなどの不正行為が行われた場合には、当該不正に開けられた孔より冷陰極管５３９の光が上皿７１側や前面側へ漏れることとなる。これにより、前記不正行為の早期発見、ひいては不正行為を抑制することができる。
【０１９２】
また、天板体２１０に形成された突出部２２０も同様に、冷陰極管５３９から発せられる光を上皿７１側や前面側へ透過させない構成となっている。従って、突出部２２０に孔を開け、そこから受口部８１へ針金等を挿し込み、払出機構部５６５から不正に遊技球を払出させる不正行為が行われた場合には、当該不正に開けられた孔より冷陰極管５３９の光が上皿７１側へ漏れる仕組みとなっている。これにより、前記不正行為の早期発見、ひいては不正行為を抑制することができる。
【０１９３】
次に裏機構ユニット５について詳細に説明する。図３７は裏機構ユニット５の背面側の斜視図であり、図３８は裏機構ユニット５の正面側の斜視図であり、図３９は裏機構ユニット５の背面図であり、図４０は後述する払出装置５７８を取外した状態を示す背面側の斜視図であり、図４１は後述する払出制御装置５５５等を取外した状態を示す背面側の斜視図であり、図４２は払出制御装置５５５等を取外した状態の背面図である。
【０１９４】
裏機構ユニット５は合成樹脂材料により略矩形状に一体成形された樹脂ベース５５０を有している。樹脂ベース５５０は、その略矩形状の外形が上記ベース枠１０の外形と略同一形状となっている。
【０１９５】
樹脂ベース５５０のほぼ中央部には、背面側に膨出し前面側が開口した略箱型の保護カバー部５５１が設けられている。保護カバー部５５１は、メインユニット４に対応して設けられており、メインユニット４のほぼ全域を囲む大きさを有している。
【０１９６】
また、保護カバー部５５１の下方には、下辺部に沿って左右方向略全域に取付台部５５２が形成されている。この取付台部５５２の背面側には払出制御装置５５５、電源装置５５６及びカードユニット接続基板５５７が横並びの状態で搭載されている。
【０１９７】
払出制御装置５５５及び電源装置５５６は制御の中枢をなすＣＰＵや、その他ＲＯＭ、ＲＡＭ、各種ポート等を含む制御基板５５５ａ，５５６ａを具備しており、払出制御装置５５５の払出制御基板５５５ａにより、賞品球（賞球）や貸出球（貸球）の払出しが制御される。また、電源装置５５６の電源基板５５６ａにより、各種制御装置等で要する所定の電源電圧が生成され出力される。カードユニット接続基板５５７は、パロット機１前面のカードユニット操作装置７２及び図示しない球貸装置（カードユニット）に電気的に接続され、遊技者による球貸し操作の指令を取り込んでそれを払出制御装置５５５に出力する中継基板である。なお、カードユニット操作装置７２及びカードユニットを介さずに球貸装置等から上皿７１に遊技球が直接貸出される遊技機（現金機）では、カードユニット接続基板５５７を省略することも可能である。
【０１９８】
上記払出制御装置５５５、電源装置５５６及びカードユニット接続基板５５７は、透明樹脂材料等よりなる基板ボックス５５５ｂ，５５６ｂ，５５７ｂにそれぞれ収容されて構成されている。特に、払出制御装置５５５では、前述した主制御装置５２０と同様、基板ボックス５５５ｂを構成するボックスベースとボックスカバーとが封印ユニット５５５ｃによって開封不能に連結され、これにより基板ボックス５５５ｂが封印されている。
【０１９９】
電源装置５５６には、電源スイッチ５６０、リセットスイッチ５６１や設定キー挿入部５６２などを備えている。
【０２００】
電源スイッチ５６０は、主制御装置５２０を始めとする各部に電源を供給するための起動スイッチである。
【０２０１】
リセットスイッチ５６１は、パロット機１の各種状態をリセットするためのスイッチである。パロット機１は各種データのバックアップ機能を有しており、万一停電が発生した際でも停電時の状態を保持し、停電からの復旧（復電）の際には停電時の状態に復帰できるようになっている。従って、例えば遊技ホールの営業が終了する場合のように通常手順で電源を遮断すると遮断前の状態が記憶保持されるが、リセットスイッチ５６１を押しながら電源スイッチ５６０をオンすると、バックアップデータがリセットされるようになっている。また、電源スイッチ５６０がオンされている状態でリセットスイッチ５６１を押した場合には、エラー状態がリセットされる。
【０２０２】
設定キー挿入部５６２は、ホール管理者などが出玉調整を行うためのものである。すなわち、ホール管理者等が設定キーを設定キー挿入部５６２へ挿入して操作することにより、パロット機１の設定状態（当選確率設定処理）を「設定１」から「設定６」まで変更できるようになっている。本実施形態では、図３８に示すように裏機構ユニット５の正面側からしか設定キーを挿入できないようになっている。つまり、後述するように裏機構ユニット５を前扉３から開放しない限り設定変更が不能となっており、不正防止対策が施されている。また、設定変更操作は、上記スタートレバースイッチ２６８により行うように構成されている。
【０２０３】
また、樹脂ベース５５０には、保護カバー部５５１を迂回するようにして払出機構部５６５が配設されている。
【０２０４】
払出機構部５６５の最上流部となる樹脂ベース５５０の上部には、上方に開口したタンク５７５が設けられている。このタンク５７５には遊技ホールの島設備に設けられた遊技球供給機構から供給される遊技球が逐次補給される。
【０２０５】
タンク５７５の下方には、複数の球通路を有し下流側に向けて緩やかに傾斜するタンクレール５７６が連結され、さらにタンクレール５７６の下流側には縦向きにケースレール５７７が連結されている。
【０２０６】
ケースレール５７７の下流側には払出装置５７８が連設され、この払出装置５７８により必要個数の遊技球の払出しが適宜行われる。払出装置５７８から払い出された遊技球は払出樋５７９を介して遊技球分配部５８０へ導かれる。遊技球分配部５８０は樹脂ベース５５０に一体形成されている。
【０２０７】
また、取付台部５５２には、遊技球分配部５８０に通じる各種球通路が形成されており、遊技球分配部５８０により振分けられた遊技球が上皿７１、下皿２５３、又はパロット機１外部の所定排出部へと導かれる。
【０２０８】
また、タンク５７５から払出樋５７９に至るまでの払出機構部５６５は何れも導電性を有する樹脂材料（例えば黒色の導電性ポリカーボネイト樹脂）にて成形され、その一部にてアースされている。これにより、遊技球の帯電によるノイズの発生が抑制されるようになっている。
【０２０９】
ここからタンク５７５等について個々に詳しく説明していく。
【０２１０】
タンク５７５は、前後方向よりも左右方向に長く、上方に開口した略箱状に構成されており、その内部に遊技球を貯留するように構成されている。
【０２１１】
タンク５７５の底部には、その左右一側部（本実施形態ではパロット機１の背面側から見て左側）において、遊技球をタンクレール５７６へ導出するための略矩形状の導出口５７５ａが形成されており、当該タンク５７５の底部は導出口５７５ａへ向けて下方傾斜している。
【０２１２】
タンクレール５７６は、上方に開口した長尺樋状をなすとともに、長手方向（左右方向）に延びる４列の球通路５７６ａを有している。
【０２１３】
ケースレール５７７は、タンクレール５７６の４列の球通路５７６ａに対応して４列の球通路５７７ａを備えており、これら球通路５７７ａにより、タンクレール５７６から流下してくる遊技球を待機（停留）させ、払出装置５７８へと導く。
【０２１４】
払出装置５７８は、前後に連結された２つの球払出ユニット６００により構成されている。ここで払出装置５７８を構成する２つの球払出ユニット６００について説明する。図４３は球払出ユニット６００の内部構成を説明するための断面図である。
【０２１５】
各球払出ユニット６００は略直方体形状をなすハウジング６０１を有している。ハウジング６０１は複数のハウジング構成部材の連結により構成されている。
【０２１６】
ハウジング６０１内には上下両側に通じる並行した２つの球通路６０７が形成され、各球通路６０７の側方において停留機構６０８が配設されている。なお、本実施形態では、球通路６０７は、断面略四角形の筒状に形成されており、一般的な遊技球の直径が約１１ｍｍであることから、所要の隙間が出来るように球通路６０７の一辺の長さは約１２ｍｍに設定されている。
【０２１７】
各球通路６０７は、ハウジング６０１上面に開口した開口部６１５から緩やかに下方傾斜した停留通路部６１７と、停留通路部６１７の下流側に連通し略鉛直方向に沿って延びる払出通路部６１９と、当該払出通路部６１９の途中から分岐し下方傾斜した球抜き通路部６２１とから構成されている。そして、ハウジング６０１下面において払出通路部６１９及び球抜き通路部４２１がそれぞれ開口している。
【０２１８】
各球払出ユニット６００は、各球通路６０７がそれぞれ対応する上記ケースレール５７７の球通路５７７ａと連通するように配置される。一方、各球払出ユニット６００の下部においては、払出通路部６１９が払出樋５７９の第１導出通路５７９ａに連通し、球抜き通路部６２１が払出樋５７９の第２導出通路５７９ｂと連通するようになっている。
【０２１９】
各停留機構６０８は停留通路部６１７の下方、払出通路部６１９の側方（図４３の右側）、球抜き通路部６２１の上方に形成される空間部６３１に配設されている。各停留機構６０８はそれぞれ独立して駆動するよう構成されている。
【０２２０】
停留機構６０８は、フリッカー６３３と、これを駆動させるソレノイド６３５と、両者を連動させるための駆動伝達部材６３７とから構成されている。
【０２２１】
ソレノイド６３５は、下方に向けて突出するプランジャ６４１を備えている。プランジャ６４１の先端部には、プランジャ６４１と一体的に上下にスライドするプランジャキャップ６４３が取着されている。なお、プランジャ６４１には図示しないコイルばねが取着されており、通常時つまりソレノイド６３５の非励磁状態においては、プランジャ６４１が下方へ押下げられている。そして、ソレノイド６３５が励磁状態となると、プランジャ６４１が上方へ引き上げられる。
【０２２２】
フリッカー６３３は、支軸６４７により払出通路部６１９近傍において回動自在に軸支されている。フリッカー６３３は略円弧形状をなし、支軸６４７より上に位置する先端部は先細りしている。
【０２２３】
一方、払出通路部６１９の上端部近傍における空間部６３１側の壁部には、開口部６５１が設けられている。そして、フリッカー６３３が回動することにより、フリッカー６３３の先端部が開口部６５１を介して払出通路部６１９内外へ出没する。フリッカー６３３の先端部が払出通路部６１９内へ突出している状態においては遊技球が通過不能となり、それより上流において遊技球が停留されることとなる。
【０２２４】
また、フリッカー６３３の下方には、略く字形状をなす上記駆動伝達部材６３７が配設されている。駆動伝達部材６３７は、支軸６４８により回動自在に軸支されている。駆動伝達部材６３７の先端部はフリッカー６３３の下部に係合（遊嵌）されており、駆動伝達部材６３７の動きに連動してフリッカー６３３が回動する。
【０２２５】
一方、駆動伝達部材６３７の下部には上記プランジャキャップ６４３の端部が差し込まれており、プランジャ６４１の上下動に連動して、駆動伝達部材６３７、ひいてはフリッカー６３３が回動することとなる。
【０２２６】
また、ハウジング６０１の側部には、フリッカー６３３の先端部近傍において球検出センサ６６４が取着されている。球検出センサ６６４は、発光素子と受光素子とからなる透過型フォトセンサである。ハウジング６０１には、上記球検出センサ６６４の発光素子及び受光素子に対応して透孔６７７が設けられており、これを介して球検出センサ６６４は投光又は受光を行う。
【０２２７】
また、球通路６０７における払出通路部６１９と球抜き通路部６２１との分岐点には切換え部材６７９が設けられている。より詳しくは、切換え部材６７９は、前後方向を軸心として回動可能に設けられており、遊技球を払出通路部６１９に沿って流下させる払出通路開放位置と、遊技球が通過不能なように払出通路部６１９を閉じた状態とするとともに、遊技球を球抜き通路部６２１へ導き当該球抜き通路部６２１に沿って流下させる球抜き通路開放位置とに回動変位する。
【０２２８】
ハウジング６０１の前面側には、切換え部材６７９の切換え操作及び上記停留機構６０８の停留解除操作を行うための操作レバー６８８が手動操作可能に設けられている。操作レバー６８８は前後方向を軸心として回動自在となっており、当該操作レバー６８８を回動操作することにより、切換え部材６７９が連動して回動する。なお、パロット機１の背面側から見て、操作レバー４８８が右寄りの第１操作位置（図４３の二点鎖線で示す位置）にある場合には、切換え部材６７９が上記払出通路開放位置に位置し、操作レバー６８８が左寄りの第２操作位置にある場合には、切換え部材６７９が上記球抜き通路開放位置に位置する。
【０２２９】
また、ハウジング６０１内には、各ソレノイド６３５（プランジャ６４１）の下方において作用伝達部材６９２が配設されている。作用伝達部材６９２は、上記操作レバー６８８の動作に連動してプランジャ６４１を動かすための部材である。作用伝達部材６９２は前後方向を軸心として回動可能に構成されている。そして、操作レバー６８８を回動操作することにより、作用伝達部材６９２が回動するようになっている。より詳しくは、操作レバー６８８を前記第１操作位置から前記第２操作位置へと回動操作し、作用伝達部材６９２を回動させることにより、作用伝達部材６９２がプランジャ６４１を押し上げることとなる。その結果、ソレノイド６３５が励磁された場合と同様に、フリッカー６３３の先端部が払出通路部６１９外へ没した状態となり、遊技球が流下可能な状態となる。
【０２３０】
また、本実施形態では、２つの球払出ユニット６００の連結時において、パロット機１の背面側から見て手前側の球払出ユニット６００の操作レバー６８８と、奥側の球払出ユニット６００の操作レバー６８８とが連結される構成となっている。これにより、手前側の球払出ユニット６００の操作レバー６８８を回動操作することにより、奥側の球払出ユニット６００の操作レバー６８８も回動操作されることとなる。
【０２３１】
ここで、払出装置５７８（球払出ユニット６００）の払出動作及び球抜き動作について説明する。
【０２３２】
通常時、各球払出ユニット６００では遊技球の流下を規制する規制状態となっており、フリッカー６３３の先端部が払出通路部６１９内へ突出した状態となっている。一方、切換え部材６７９は払出通路開放位置にあり、遊技球が払出通路部６１９に沿って流下可能な状態となっている。
【０２３３】
そして、払出制御装置５５５からの払出指令に基づき、ソレノイド６３５が励磁されると、プランジャ６４１が引き上げられる。これに連動してフリッカー６３３の先端部が払出通路部６１９外へ没した状態となり、フリッカー６３３により制止されていた遊技球が払出通路部６１９に沿って流下し、上皿７１や下皿２５３へと導かれる。また、球検出センサ６６４が所定数の遊技球を検出すると、払出制御装置５５５から停止指令が出て、再びソレノイド６３５が非励磁状態となり、各停留機構６０８は上記通常時の状態（規制状態）に戻る。
【０２３４】
次に、球払出ユニット６００内に停留された遊技球の球抜き作業について説明する。球抜き作業は、出荷時における検査終了後やエラー発生時（故障時）等に行われる。
【０２３５】
遊技球を球抜きするためには、まず操作レバー６８８を反時計回り方向へ回動操作する。この操作レバー６８８の動きに連動して、切換え部材６７９が球抜き通路開放位置へと反時計回りに回動変位するとともに、作用伝達部材６９２が時計回りに回動変位する。その結果、プランジャ６４１が押し上げられる。そして、ソレノイド６３５が励磁された場合と同様に、フリッカー６３３の先端部が払出通路部６１９外へ没した状態となると、遊技球が流下可能な状態となる。フリッカー６３３により制止されていた遊技球は、払出通路部６１９に沿って流下し、切換え部材６７９によって球抜き通路部６２１へ導かれ、当該球抜き通路部６２１及び第２導出通路５７９ｂを介して第１排出通路５８１ｃへ、ひいては遊技ホールの島設備の所定の排出部などへと導かれる。
【０２３６】
次に、２つの球払出ユニット６００が連結された払出装置５７８の上記樹脂ベース５５０への取付構造について説明する。各球払出ユニット６００のハウジング６０１には前後方向（取付方向）に貫通した挿通孔６９５が複数設けられている。これに対応して樹脂ベース５５０側の取付部位には金属棒６９７が突設されている。取付けの際には、まず一体となった２つの球払出ユニット６００の各挿通孔６９５に各金属棒６９７を挿入する。そして、金属棒６９７の先端においてネジ等を螺着し、球払出ユニット６００の抜け落ちを防止することにより、樹脂ベース５５０への払出装置５７８の取付けが完了する。
【０２３７】
また、ハウジング６０１の側部には、球検出センサ６６４の下方において払出中継基板Ｗ１が設けられている。払出中継基板Ｗ１は、球検出センサ６６４とコネクタＷ１ａを介して電気的に接続され、ソレノイド６３５とコネクタＷ１ｂを介して電気的に接続され、払出制御装置５５５とコネクタＷ１ｃを介して電気的に接続されている。但し、便宜上、図面において電気配線は省略されている。これにより、球払出ユニット６００（ソレノイド６３５）が払出制御装置５５５からの出力信号に基づいて駆動制御されるとともに、払出制御装置５５５が球検出センサ６６４からの入力信号に基づいて払出個数を計数するように構成されている。
【０２３８】
次に払出樋５７９、遊技球分配部５８０、及び取付台部５５２に形成された各種球通路について詳しく説明する。上述したように払出樋５７９は、第１導出通路５７９ａと第２導出通路５７９ｂとを備えている。第１導出通路５７９ａは、遊技球分配部５８０の開口部５８０ａ，５８０ｂと、払出装置５７８（球払出ユニット６００）の払出通路部６１９とを連通するよう構成されている。第２導出通路５７９ｂは、遊技球分配部５８０の開口部５８０ｃと、払出装置５７８（球払出ユニット６００）の球抜き通路部６２１とを連通するよう構成されている。
【０２３９】
樹脂ベース５５０の取付台部５５２には、遊技球分配部５８０の開口部５８０ａと上皿７１の受口部８１とを連通させる第１払出通路５８１ａが設けられ、遊技球分配部５８０の開口部５８０ｂと下皿２５３の排出口２５７とを連通させる第２払出通路５８１ｂが設けられ、遊技球分配部５８０の開口部５８０ｃと遊技ホールの島設備の所定排出部などとを連通させる第１排出通路５８１ｃが設けられている。これにより、球払出ユニット６００の払出通路部６１９から導出される遊技球は上皿７１や下皿２５３へと導かれ、球抜き通路部６２１から導出される遊技球は遊技ホールの島設備の所定排出部へと導かれる。
【０２４０】
この他、取付台部５５２には、上記取込装置３００により取り込まれた遊技球を島設備の所定排出部などへ導くため、上記前扉３側の排出通路２８５に連通する第２排出通路５８１ｄが設けられている。
【０２４１】
次にメインユニット４及び裏機構ユニット５の前扉３（ベース枠１０）に対する組付構成について詳細に説明する。これら両ユニット４，５は、ユニット単位で何ら工具等を用いずにベース枠１０の背面側に着脱できるよう構成されるとともに、ベース枠１０の背面に対し個別に開閉可能に構成されている。これは、メインユニット４だけを交換することでパロット機１本体を再利用することを主たる目的としている。
【０２４２】
図３３等に示すようにメインユニット４（遊技パネルベース５００）の左側部には上下一対の支軸５４１が設けられており、この支軸５４１を図９等に示す上下一対の支持孔部５４２に上方から挿通させることで、メインユニット４がベース枠１０に対して開閉可能に支持される。
【０２４３】
図３８等に示すように裏機構ユニット５（樹脂ベース５５０）の左側部には上下一対の支軸５４３が設けられており、この支軸５４３を図９等に示す上下一対の支持孔部５４４に上方から挿通させることで、裏機構ユニット５がベース枠１０に対して開閉可能に支持される。
【０２４４】
また、メインユニット４（遊技パネルベース５００）の右側部には上下一対の係止レバー５４５が設けられている。これに対し、裏機構ユニット５（樹脂ベース５５０）の右側部には上下一対の係止片５４６が設けられている。係止レバー５４５は手動で回動操作できるように構成されており、この係止レバー５４５を係止片５４６へ係止させることにより、メインユニット４が裏機構ユニット５に係止される。この状態では両者が一体にベース枠１０に対し開閉可能となる。また、係止レバー５４５を操作することにより係止解除できる。
【０２４５】
また、メインユニット４を裏機構ユニット５に係止させた状態では、メインユニット４の背面側が裏機構ユニット５により覆われた状態となり、主制御装置５２０及びサブ制御装置５２１が遊技パネルベース５００と樹脂ベース５５０とにより包まれた状態となる。
【０２４６】
次に、前扉３の施錠機構、並びに裏機構ユニット５の施錠機構について説明する。本実施形態では、前扉３は外枠２に対し施錠され、裏機構ユニット５は前扉３に対し施錠される。これら両施錠は前扉３の背面側に設けられた１つの施錠装置７５０により行われる。図４４（ａ）は施錠装置を背面外側から見た斜視図であり、図４４（ｂ）は施錠装置を背面内側から見た斜視図である。図４５（ａ）は前扉の解錠時の施錠装置を背面外側から示す斜視図であり、図４５（ｂ）は前扉の解錠時の施錠装置を背面内側から示す斜視図である。図４６（ａ）は裏機構ユニットの解錠時の施錠装置を背面外側から示す斜視図であり、図４６（ｂ）は裏機構ユニットの解錠時の施錠装置を背面内側から示す斜視図である。
【０２４７】
施錠装置７５０は、金属材料よりなり、ベース枠１０の右辺部１０ｄに沿って取付けられる縦長の基枠７５１を備えている。
【０２４８】
基枠７５１は、右辺部１０ｄの背面側に取付けられる取付板７５２と、当該取付板７５２から後方へ突出した支持板７５３とからなり、断面略Ｌ字状をなしている。
【０２４９】
まず、前扉３の施錠機構について説明する。当該施錠機構が本実施形態における第１施錠機構を構成する。
【０２５０】
支持板７５３の上部及下部には、パロット機１の背面側から見て左側にあたる外側の面において、鉤部材７５４，７５５が回動可能に軸支されている。
【０２５１】
さらに支持板７５３の外側面には上下に摺動可能に摺動杆７５６が配設されている。摺動杆７５６の上部及び下部にはガイド孔７５６ａ，７５６ｂが設けられ、ガイド孔７５６ａ，７５６ｂにはそれぞれ支持板７５３に固定されたガイドピン７５３ａ，７５３ｂが係合状態で挿通されている。これにより摺動杆７５６の摺動がガイドされる。
【０２５２】
また、摺動杆７５６の上端部近傍及び下端部近傍には、上記鉤部材７５４，７５５に対応して切欠き部７５８，７５９が設けられている。一方、鉤部材７５４，７５５の取付板７５２側の端部（以下、基端部という）にはガイド突起７５４ａ，７５５ａが設けられている。このガイド突起７５４ａ，７５５ａは、摺動杆７５６の切欠き部７５８，７５９に係合されている。また、このガイド突起７５４ａ，７５５ａと取付板７５２との間にはコイルばね７６１，７６２が掛けられており、鉤部材７５４，７５５の基端部は常には下方に引っ張られている。これにより、鉤部材７５４，７５５は常には図示しない規制部に当接することにより略水平状態に維持されている。そして、摺動杆７５６が上方に摺動するのに伴って、鉤部材７５４，７５５が連動して回動し、鉤部材７５４，７５５の基端部側が上に、先端部側が下となるよう傾いた状態となる。
【０２５３】
一方で、鉤部材７５４，７５５は独立して回動可能であり、針金などで上下の鉤部材７５４，７５５を回動させようとする場合（不正行為が行われる場合）は、両方の鉤部材７５４，７５５に針金を引っ掛けて回動させなければならない。つまり、一方のみの鉤部材７５４又は鉤部材７５５を引っ掛けて回動させただけでは、不正解錠をすることができないように構成されている。
【０２５４】
鉤部材７５４，７５５の先端部は略三角形状に形成されており、その上側に係止部７５４ｂ，７５５ｂが形成されている。これに対し、外枠２の右辺部（右の縦板）内側には鉤部材７５４，７５５に対応して上下一対の受け金具（爪馬）７９２が設けられている（図５参照）。そして、前扉３が閉じられる際には、鉤部材７５４，７５５が受け金具７９２によって押されることでコイルばね７６１，７６２に抗して回動する。その後、コイルばね７６１，７６２の引張力で鉤部材７５４，７５５は元の状態に戻り、係止部７５４ｂ，７５５ｂが受け金具７９２に係止される。その結果、前扉３が外枠２に対し施錠される。また、鉤部材７５４，７５５の先端が下がり、係止部７５４ｂ，７５５ｂと受け金具７９２との係止状態が解除されることにより、前扉３が解錠される。
【０２５５】
次に裏機構ユニット５の施錠機構について説明する。当該施錠機構が本実施形態における第２施錠機構を構成する。
【０２５６】
支持板７５３の上部及下部には係合突部７６５，７６６が後方に向け突出形成されている。さらに、支持板７５３には、パロット機１の背面側から見て右側にあたる内側の面において、上下に摺動可能に摺動杆７６７が配設されている。摺動杆７６７の上下方向略中央部にはガイド孔７６７ａが設けられ、ガイド孔７６７ａには支持板７５３に固定されたガイドピン７５３ｃが係合状態で挿通されている。これにより摺動杆７６７の摺動がガイドされる。
【０２５７】
また、摺動杆７６７の上端部近傍及び下端部近傍には、上記係合突部７６５，７６６に対応して鉤部７６９，７７０が設けられている。鉤部７６９，７７０の先端部は略三角形状に形成されており、その上側に係止部７６９ａ，７７０ａが形成されている。
【０２５８】
また、摺動杆７６７と支持板７５３との間にはコイルばね７７１が掛けられており、摺動杆７６７は常には上方に引っ張られている。この状態では、鉤部７６９，７７０（係止部７６９ａ，７７０ａ）の上部端部が係合突部７６５，７６６より上方に突出した状態となっている。そして、摺動杆７６７が下方に摺動するのに伴って、鉤部７６９，７７０の上部端部が係合突部７６５，７６６より下方に没した状態となる。
【０２５９】
これに対し、裏機構ユニット５（樹脂ベース５５０）の右側部には係合突部７６５，７６６及び鉤部７６９，７７０が挿入される上下一対の鉤受部７９１が形成されている。鉤受部７９１内には受け金具（爪馬）７９３が設けられている。そして、裏機構ユニット５が前扉３に対し閉じられる際には、鉤部７６９，７７０が受け金具７９３によって押されることでコイルばね７７１に抗して摺動杆７６７（鉤部７６９，７７０）が下方へ摺動する。その後、コイルばね７７１の引張力で摺動杆７６７（鉤部７６９，７７０）が元の位置に戻り、係止部７６９ａ，７７０ａが受け金具７９３に係止される。その結果、裏機構ユニット５が前扉３に対し施錠される。また、摺動杆７６７（鉤部７６９，７７０）が下がり、係止部７６９ａ，７７０ａと受け金具７９３との係止状態が解除されることにより、裏機構ユニット５が解錠される。
【０２６０】
さて、取付板７５２には、パロット機１の前面側に露出するように取付けられるシリンダ錠７７５が設けられている。
【０２６１】
シリンダ錠７７５の錠軸には第１係合凸部７７６ａと第２係合凸部７７６ｂとを備えてなるカム板７７６が固定されている。一方、摺動杆７５６には、下部のガイド孔７５６ｂの上方において、カム板７７６が係合可能な矩形状の２つの係合孔部７５６ｃ，７５６ｄが形成されている。
【０２６２】
キー操作によってカム板７７６がパロット機１の正面側から見て時計回り方向に回動された場合（図４５参照）、カム板７７６の第２係合凸部７７６ｂが摺動杆７５６の係合孔部７５６ｄに係合し、摺動杆７５６が上方に摺動する。これにより、鉤部材７５４，７５５が回動し、外枠２側の受け金具７９２との係合が解除され、前扉３が解錠される。
【０２６３】
一方、キー操作によってカム板７７６が反時計回り方向に回動された場合（図４６参照）、カム板７７６の第１係合凸部７７６ａが摺動杆７５６の係合孔部７５６ｃに係合し、摺動杆７５６が下方に摺動する。この際、支持板７５３に形成された孔部７８１を介して支持板７５３の外側に突出した摺動杆７６７の突部７８２が、摺動杆７５６の突部７８３によって下方へ押され、摺動杆７６７が下方へ摺動する。これにより、鉤部７６９，７７０と裏機構ユニット５側の受け金具７９３との係合が解除され、裏機構ユニット５が解錠される。
【０２６４】
なお、摺動杆７５６には、鉤部材７５５のやや上方位置において、後方に突出したストッパ部７８５が設けられている。前扉３が外枠２に施錠された状態では、図５に示すように、このストッパ部７８５が、下側の鉤部材７５５の係止される受け金具７９２の上部に当接した状態となる。これにより、前扉３の施錠時においては摺動杆７５６の下方摺動が規制される。つまり、前扉３が外枠２に施錠された状態では、カム板７７６をパロット機１の正面側から見て反時計回り方向に回動させるキー操作を行うことができず、前扉３に対する裏機構ユニット５の解錠を行えない構成となっている。このような構成により、主制御装置５２０の取外しや上皿ユニット７０の箱体２１２の取外しを行おうとした場合には、まず前扉３を解錠して開放した後、次に裏機構ユニット５を解錠し、メインユニット４の係止レバー５４５を解除操作するといった複雑な過程を経て、ようやく行うことができる。これにより、主制御装置５２０や箱体２１２を取外して行う不正行為等に対して抑止効果を得ることができる。さらには、シリンダ錠７７５の背面側にはシリンダカバー７９０が取付けられており、カム板７７６が不正操作されることを防止している。
【０２６５】
次にパロット機１の電気的構成について詳しく説明する。図４７は、パロット機１の電気的構造を示したブロック図である。但し、便宜上、各種中継基板については図示を省略している。
【０２６６】
パロット機１の主制御装置５２０には、演算装置である１チップマイコンとしてのＣＰＵ８０１が搭載されている。ＣＰＵ８０１には、該ＣＰＵ８０１により実行される各種の制御プログラムや固定値データを記憶したＲＯＭ８０２と、そのＲＯＭ８０２内に記憶される制御プログラムの実行に際して各種のデータ等を一時的に記憶するためのメモリであるＲＡＭ８０３と、割込回路やタイマ回路、データ送受信回路などの各種回路が内蔵されている。
【０２６７】
ＲＡＭ８０３は、パロット機１の電源のオフ後においても電源装置５５６からバックアップ電圧が供給されてデータが保持（バックアップ）できる構成となっており、ＲＡＭ８０３には、各種のデータ等を一時的に記憶するためのメモリやエリアの他に、バックアップエリア８０３ａが設けられている。
【０２６８】
バックアップエリア５０３ａは、停電などの発生により電源が切断された場合において、電源の再入時にパロット機１の状態を電源切断前の状態に復帰させるべく、電源切断時（停電発生時を含む。以下同様）のスタックポインタや、各レジスタ、Ｉ／Ｏ等の値を記憶しておくためのエリアである。バックアップエリア８０３ａへの書き込みは、所定の停電時処理によって電源切断時に実行され、逆にバックアップエリア８０３ａに書き込まれた各値の復帰は、電源入時（停電解消による電源入を含む。以下同様）の所定の復電時処理において実行される。なお、ＣＰＵ８０１のＮＭＩ端子（ノンマスカブル割込端子）には、停電等の発生による電源断時に、後述する停電監視回路８４２から出力される停電信号ＳＫ１が入力されるように構成されており、停電の発生により、停電時処理が即座に実行される。
【０２６９】
かかるＲＯＭ８０２及びＲＡＭ８０３を内蔵したＣＰＵ８０１には、アドレスパス及びデータパスで構成されるバスライン８０４を介して入出力ポート８０５が接続されている。
【０２７０】
入出力ポート８０５には、後述するリセットスイッチ回路８４３、払出制御装置５５５、スタートレバースイッチ２６８、ストップボタンスイッチ２７１，２７２，２７３、マックスベットスイッチ７５、１ベットスイッチ２７４、カウント表示部５３３、ベット数表示部５３４、取込装置３００、有効ライン表示部５１６，５１７，５１８、その他図示しない電気機器（例えばホール管理装置などに情報を送信できる外部集中端子板）などが接続されている。
【０２７１】
サブ制御装置５２１は、ランプやスピーカ等を制御するための制御装置であり、演算装置であるＣＰＵ８５１、該ＣＰＵ８５１により実行される各種の制御プログラムや固定値データを記憶したＲＯＭ８５２、該ＲＯＭ８５２内に記憶される制御プログラムの実行に際して各種のデータ等を一時的に記憶するメモリであるＲＡＭ８５３、入出力ポート８５４、バスライン８５５を備えるとともに、その他にも図示しない割込回路やタイマ回路、データ送受信回路などの各種回路等を備えている。ＲＡＭ８５３は、ＣＰＵ８５１による各種プログラムの実行時に使用されるワークデータやフラグを一時的に記憶するメモリである。
【０２７２】
入出力ポート８５４には、バスライン８５５を介してＣＰＵ８５１、ＲＯＭ８５２、ＲＡＭ８５３が接続されるとともに、液晶表示装置５０１、各ランプ表示部４１，４７，５３、スピーカ４２，５１、第１演出スイッチ２７７、第２演出スイッチ２７８等が接続されている。
【０２７３】
サブ制御装置５２１のＣＰＵ８５１は、例えば主制御装置５２０から送信される指令信号に基づいて種々の演出を実行する。例えば、液晶表示装置５０１において、後述するビッグボーナスフラグ等の成立を報知する「ナビゲーション表示」や、ビッグボーナスフラグの成立時に小役フラグ等の成立と思わせる「ナビゲーション外れ表示」といった補助演出表示を行う。
【０２７４】
また、払出制御装置５５５は、上記払出装置５７８により賞球や貸球の払出制御を行うものである。演算装置であるＣＰＵ８１１は、そのＣＰＵ８１１により実行される制御プログラムや固定値データ等を記憶したＲＯＭ８１２と、ワークメモリ等として使用されるＲＡＭ８１３とを備えている。
【０２７５】
払出制御装置５５５のＲＡＭ８１３は、前述した主制御装置５２０のＲＡＭ８０３と同様に、パロット機１の電源のオフ後においても電源装置５５６からバックアップ電圧が供給されてデータが保持（バックアップ）できる構成となっており、ＲＡＭ８１３には、各種のデータ等を一時的に記憶するためのメモリやエリアの他に、バックアップエリア８１３ａが設けられている。
【０２７６】
バックアップエリア８１３ａは、停電などの発生により電源が切断された場合において、電源の再入時にパロット機１の状態を電源切断前の状態に復帰させるべく、電源切断時のスタックポインタや、各レジスタ、Ｉ／Ｏ等の値を記憶しておくためのエリアである。このバックアップエリア８１３ａへの書き込みは、所定の停電時処理によって電源切断時に実行され、逆にバックアップエリア８１３ａに書き込まれた各値の復帰は、電源入時の所定の復電時処理において実行される。
【０２７７】
かかるＲＯＭ８１２及びＲＡＭ８１３を内蔵したＣＰＵ８１１には、アドレスバス及びデータバスで構成されるバスライン８１４を介して入出力ポート８１５が接続されている。
【０２７８】
入出力ポート８１５には、リセットスイッチ回路８４３、主制御装置５２０、払出装置５７８などがそれぞれ接続されている。
【０２７９】
また、電源装置５５６は、パロット機１の各部に電力を供給するための電源部８４１と、停電等による電源遮断を監視する停電監視回路８４２と、リセットスイッチ５６１に接続されてなるリセットスイッチ回路８４３と、設定キー挿入部５６２に接続されてなる設定キー回路８４４とを備えている。
【０２８０】
電源部８４１は、図示しない電源経路を通じて、主制御装置５２０、サブ制御装置５２１、払出制御装置５５５等に対して各々に必要な動作電源を供給する。その概要としては、電源部８４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置５２０等に対して供給する。
【０２８１】
停電監視回路８４２は、停電等の発生による電源断時に、主制御装置５２０のＣＰＵ８０１及び払出制御装置５５５のＣＰＵ８１１の各ＮＭＩ端子へ停電信号ＳＫ１を出力するための回路である。停電監視回路８４２は、電源部８４１から出力される最大電圧である直流安定２４ボルトの電圧を監視し、この電圧が２２ボルト未満になった場合に停電（電源断）の発生と判断して、停電信号ＳＫ１を主制御装置５２０及び払出制御装置５５５へ出力する。この停電信号ＳＫ１の出力によって、主制御装置５２０及び払出制御装置５５５は、停電の発生を認識し、停電時処理を実行する。
【０２８２】
なお、電源部８４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置５２０及び払出制御装置５５５は、停電時処理を正常に実行し完了することができる。
【０２８３】
リセットスイッチ回路８４３は、リセットスイッチ５６１のスイッチ信号を取り込み、そのリセットスイッチ５６１の状態に応じて主制御装置５２０のＲＡＭ８０３及び払出制御装置５５５のＲＡＭ８１３のバックアップデータをクリアするための回路である。リセットスイッチ５６１が押下された際、リセットスイッチ回路８４３は、リセット信号ＳＫ２を主制御装置５２０及び払出制御装置５５５に出力する。リセットスイッチ５６１が押下された状態でパロット機１の電源が投入されると（停電解消による電源入を含む）、主制御装置５２０及び払出制御装置５５５においてそれぞれのＲＡＭ８０３，８１３のデータがクリアされる。
【０２８４】
設定キー回路８４４は、設定キー挿入部５６２への設定キーの挿入を検知し、その旨を主制御装置５２０のＣＰＵ８０１に認識させるための回路である。設定キー挿入部５６２に対しキー挿入があると、設定キー回路８４４は、キー入力信号ＳＫ３を主制御装置５２０に出力する。これに基づき、主制御装置５２０は設定変更を許可する。
【０２８５】
さて、主制御装置５２０は、各種遊技制御として、「小役抽選」、「小役制御」「リプレイゲーム抽選」「リプレイゲーム制御」「ビッグボーナス抽選」「ビッグボーナス制御」「ビッグボーナス中抽選」、「リール制御」等の処理を実行する。
【０２８６】
小役抽選では、スタートレバースイッチ２６８からの検出信号が入力されたタイミングによって、小役払出条件が成立したか否かの抽選が行われ、これによって小役フラグの成立の有無が決定される。なお、小役抽選は、他の抽選とともに、遊技球の投入個数（ベット数）に応じて変化するよう構成されており、概して投入個数が多い程遊技者に有利な抽選結果が得られるようになっている。
【０２８７】
小役制御では、通常遊技中に小役フラグが成立している場合、各リール５１１〜５１３の停止時に、後述する小役成立テーブルの内容を参照しながら、一定の引き込み停止制御を加えて半強制的に小役図柄を有効ライン上に停止させる制御が行われる。
【０２８８】
リプレイゲーム抽選では、スタートレバースイッチ２６８からの検出信号が入力されたタイミングによって、リプレイゲーム移行条件が成立したか否かの抽選が行われ、これによってリプレイフラグの成立の有無が決定される。
【０２８９】
リプレイゲーム制御では、通常遊技中にリプレイフラグが成立している場合、各リール５１１〜５１３の停止時に、後述するリプレイ成立テーブルの内容を参照しながら、一定の引き込み停止制御を加えて半強制的にリプレイ図柄を有効ライン上に停止させる制御が行われる。そして、有効ライン上にリプレイ図柄が停止することを条件に、次回の遊技を無償で行うことができるようにする。勿論、このリプレイゲームが行われる場合にも各種抽選は実行されている。
【０２９０】
ビッグボーナス抽選では、スタートレバースイッチ２６８からの検出信号が入力されたタイミングによって、ビッグボーナス移行条件が成立したか否かの抽選が行われ、これによってビッグボーナス成立フラグの有無が決定される。
【０２９１】
ビッグボーナス制御では、通常遊技中にビッグボーナスフラグが成立している場合、各リール５１１〜５１３の停止時に、後述するビッグボーナス成立テーブルの内容を参照しつつ、一定の引き込み停止制御を加えて半強制的にビッグボーナス図柄を有効ライン上に停止させる制御が行われる。そして、有効ライン上にビッグボーナス図柄が停止することを条件に通常遊技からビッグボーナスゲームに移行させ、予め設定された最大獲得賞球数（本実施形態では２３２５個）を上限として、その後、原則的には元の通常遊技状態に復帰させる制御が行われる。
【０２９２】
ビッグボーナス中抽選では、ビッグボーナス中において、スタートレバースイッチ２６８からの検出信号が入力されたタイミングによって、小役図柄の抽選及びジャックインの抽選が行われ、小役フラグ及びジャックインフラグの成立の有無が決定される。
【０２９３】
そして、ビッグボーナス中は、前記ビッグボーナス制御により、小役フラグの成立に基づく所定の小役図柄を有効ライン上に揃わせるべく小役成立テーブルを参照しつつ各リール５１１〜５１３を半強制的に引き込み停止する制御が行われる。また、ジャックインフラグの成立に基づきジャックインさせるべく、リプレイ成立テーブルの内容を参照しつつ、各リール５１１〜５１３を半強制的に引き込み停止する制御が行われる。
【０２９４】
ジャックインとは、ビッグボーナスゲーム中に所定のジャックインゲームを実行させる状態であり、具体的には「リプレイ」図柄が揃うことによって生じる。従って、ジャックイン実行のためにビッグボーナス制御では、ジャックイン図柄（リプレイ図柄）を有効ライン上に揃わせるべく各リール５１１〜５１３を半強制的に引き込み停止する制御が行われる。ジャックインされるとジャックインゲームが実行される。
【０２９５】
このジャックインゲーム中は、有効ラインが１ライン（中央ライン）のみとされている。ジャックインゲーム中においては、スタートレバースイッチ２６８からの検出信号が入力されたタイミングによって、所定の図柄（ここでは、リプレイ図柄）の抽選を行う。かかる図柄の抽選は、通常の抽選とは異なり、リプレイ図柄が有効ライン（中央ラインのみ）に揃った場合に所定個数（例えば７５個）の遊技球が払い出されるように設定しておき、かかるリプレイ図柄を遊技球払出図柄として、当該遊技球払出図柄が揃う条件を満たすか否かの抽選とされている。そして、前記抽選の結果、リプレイフラグ（ここでいうリプレイフラグは通常遊技中のものとは異なり、ジャックインゲーム用に新たに設定されたものである。）が成立した場合には前記遊技球払出図柄以外の図柄が有効ライン上に揃わないように各リール５１１〜５１３が制御され、しかも遊技球払出図柄が所定回数（例えば８回）揃った場合には所定の遊技回数（１２回）に達していなくとも所定のジャックインゲームは終了する。なお、かかる所定のジャックインゲームに際しては、投入される遊技球として５個が上限、すなわち、１ベットのみが有効化される。
【０２９６】
また、ビッグボーナスゲームでは、当該ビッグボーナスゲーム中に獲得した賞球数が、予め設定された最大獲得賞球数（２３２５個）に達するまで、当該ビッグボーナスゲームを継続して行うことができるとともに、何度でもジャックインが可能となっている。そして、ビッグボーナス制御では、最大獲得賞球数に達した時点に行われている遊技又はジャックインゲームの終了時点でビッグボーナスゲームを強制的に終了させる。
【０２９７】
また、リール制御により、ＲＯＭ等の記憶手段の記憶内容に応じて各リール５１１〜５１３が制御され、特に記憶手段に記憶された各種テーブルの記憶内容に応じて各リール５１１〜５１３の停止位置が制御される。
【０２９８】
各種テーブルとは、成立した各種フラグに応じて個々に設定されたものである。具体的には、例えば何らフラグが成立していない場合にいずれの図柄をも有効ライン上に揃えないようにするための「外れテーブル」、小役フラグに対応して所定の小役図柄を有効ライン上に揃えるための「小役成立テーブル」、リプレイフラグに対応してリプレイ図柄を有効ライン上に揃えるための「リプレイ成立テーブル」、ビッグボーナスフラグに対応して「７」図柄を有効ライン上に揃えるための「ビッグ成立テーブル」等の他、以上の成立図柄をどの有効ライン上に揃えるかを決定するための「ラインテーブル」等である。
【０２９９】
次に、以上の構成からなるパロット機１の作用について、遊技方法を踏まえて説明する。
【０３００】
遊技の開始に際し、遊技者は、１ベットスイッチ２７４又はマックスベットスイッチ７５を操作することにより遊技球を投入する。主制御装置５２０は、各ベットスイッチ２７４，７５の検出信号を受けて、取込装置３００を駆動制御する。そして、上皿７１にある遊技球が取込まれ投入されることとなる。例えば、マックスベットスイッチ７５が押圧操作された場合には、上皿７１上の１５個の遊技球が取込装置３００によって取込まれる。このとき、カウント表示部５３３には投入個数が表示される。
【０３０１】
また、遊技球の投入数に応じて主制御装置５２０は各ラインを有効化する。ここで、１ベットスイッチ２７４の１回の押圧操作（５個の遊技球の投入）であれば、中央ラインのみが有効化される。また、１ベットスイッチ２７４の２回の押圧操作（１０個の遊技球の投入）であれば、上下ラインが有効化される。さらに、マックスベットスイッチ７５の押圧操作等（１５個の遊技球の投入）であれば、全ラインが有効化される。
【０３０２】
少なくとも１ラインが有効化されている時点で、遊技者がスタートレバースイッチ２６８を操作すると、主制御装置５２０は、全てのリール５１１〜５１３を一斉に回転させる。これとともに、主制御装置５２０は、その旨の情報をサブ制御装置５２１へ送信する。
【０３０３】
また、スタートレバースイッチ２６８の操作に基づく検出信号が主制御装置５２０に入力されたタイミングで、通常遊技中では、小役抽選、リプレイゲーム抽選、ビッグボーナス抽選など各抽選が行われる。
【０３０４】
小役抽選の結果、小役フラグが成立した場合には、適宜の小役図柄を有効ライン上に停止させ得る権利がそのゲームにおいてのみ与えられる。また、リプレイゲーム抽選の結果、リプレイフラグが成立した場合には、リプレイゲームへ移行する権利がそのゲームにおいてのみ与えられる。また、ビッグボーナス抽選の結果、ビッグボーナスフラグが成立した場合には、ビッグボーナスゲームへ移行する権利が与えられ、そのフラグはビッグボーナスゲームへ移行するまで保持される。
【０３０５】
以上の各抽選が終了した後、遊技者がストップボタンスイッチ２７１，２７２，２７３を操作すると、主制御装置５２０は、操作された各ストップボタンスイッチ２７１，２７２，２７３に対応した各リール５１１，５１２，５１３を個別に停止させる制御を行う。
【０３０６】
これら各リール５１１，５１２，５１３の停止位置は、上記各抽選結果である各成立フラグに基づき、上記各テーブルを参照して決定される。このとき、有効ラインから各リール５１１，５１２，５１３の回転方向手前の４図柄分までに成立フラグに対応した図柄が存在すれば、原則として、その図柄が積極的に有効ライン上に引き込まれるような制御が行われることとなり、リール停止タイミングが４図柄分手前までの誤差であれば、その誤差を吸収することができる。
【０３０７】
また、サブ制御装置５２１は、主制御装置５２０の制御に合わせて、液晶表示装置５０１における上記「ナビゲーション表示」等の補助演出を行う。
【０３０８】
各リール５１１，５１２，５１３の停止時において、有効ライン上の停止図柄の組合せが、予め定められた所定の図柄の組合せである場合、即ち小役図柄の組合せ、リプレイ図柄の組合せ、ビッグボーナス図柄の組合せである場合、各停止図柄の組合せに応じた数の遊技球（賞球）を払出すための制御が行われる。
【０３０９】
主制御装置５２０が、払出制御装置５５５へ払出制御を行う旨の指示を出し、払出制御装置５５５が払出装置５７８を駆動制御することにより、上皿７１等へ遊技球が払出される。この際、今回獲得した賞球数がカウント表示部５３３に表示される。
【０３１０】
有効ライン上に揃った図柄が小役図柄或いは何ら払出しのない図柄の組合せである場合には、通常遊技が続行される。一方、有効ライン上に揃った図柄の組合せがリプレイ図柄の組合せである場合にはリプレイゲーム制御によって次回のゲームを無償で行うことができるリプレイゲームが実行される。また、有効ライン上に揃った図柄の組合せがビッグボーナス図柄の組合せである場合にはビッグボーナス制御によってビッグボーナスゲームが実行される。そして、上記最大獲得賞球数を獲得したことを条件に、ビッグボーナスゲームが終了する。
【０３１１】
以上詳述したように、前扉３に対しメインユニット４が相対向して配置された状態では、上記上皿ユニット７０の天井カバー７６（天板体２１０及び箱体２１２）が情報表示装置５０３の下方に位置する。本実施形態における情報表示装置５０３の下部は開放されており、冷陰極管５３９の光が下方へも照射されるようになっている。上述したように天板体２１０は、透光性を有する樹脂材料により成形されているため、冷陰極管５３９から発せられる光は上皿７１側へ透過される。これにより、上皿７１が奥まった位置に貯留された遊技球を冷陰極管５３９から発せられる光により照らすことができ、貯留された遊技球の数量を遊技者が認識しやすくなる。
【０３１２】
これに対し、箱体２１２は金属材料により形成されているため、通常時には、冷陰極管５３９から発せられる光が上皿７１側や前面側へ透過されないようになっている。従って、仮に箱体２１２に孔を開け、この孔を介して針金等を取込装置３００内へ差込み、あたかも遊技球が取り込まれたようにする不正行為や、ひいては実際には取込まれていない遊技球を返却レバー１６３を操作して不正に払出（返却）させる不正行為などが行われた場合には、当該不正に開けられた孔より冷陰極管５３９の光が上皿７１側や前面側へ漏れることとなる。これにより、前記不正行為の早期発見、ひいては不正行為を抑制することができる。さらに、箱体２１２は金属材料により形成されているため、樹脂材料に比べて孔を開けにくい。
【０３１３】
また、天板体２１０に形成された突出部２２０も同様に、冷陰極管５３９から発せられる光を上皿７１側や前面側へ透過させない構成となっている。従って、突出部２２０に孔を開け、そこから受口部８１へ針金等を挿し込み、払出機構部５６５から不正に遊技球を払出させる不正行為が行われた場合には、当該不正に開けられた孔より冷陰極管５３９の光が上皿７１側へ漏れる仕組みとなっている。これにより、前記不正行為の早期発見、ひいては不正行為を抑制することができる。
【０３１４】
上皿７１の周辺などのように一般の遊技者が頻繁に触れる箇所で、不正行為が行われていることを比較的発見しにくい箇所であっても、そこに孔を開けて針金等を挿し込み、不正行為が行われた場合には、冷陰極管５３９の光が漏れていることを確認することで、不正行為を早期に発見することができる。ひいては、孔を開けると光が漏れることが認知されれば、不正行為が抑制される。
【０３１５】
また、箱体２１２は、上方に開口した略箱状をなし、天板体２１０に対し着脱自在に取付けられている。そして、メインユニット４が上方位置に配置された際には、当該メインユニット４により上方への移動が規制される。逆にメインユニット４が上方位置より移動した場合には、箱体２１２の上方への規制がなくなるため、前扉３の背面側から箱体２１２を容易に取外すことができる。これにより、整流球通路８７や、取込口８３の下方に位置する取込装置３００等の清掃作業や点検、修理等を行うことができ、メンテナンス性の向上が図られる。仮に取込装置３００に対して針金等を挿し込み、実際には遊技球が取込まれていないにも関わらず、遊技球の取込みがあったかのようにする不正行為などを行う際には、箱体２１２に孔を開けなければ困難である。そのため、前記構成のもと、箱体２１２が遮光性を有する部材により構成されることで、上記作用効果がより発揮されることとなる。さらに、施錠装置７５０を基に構成される各種施錠機構によって、その作用効果をより確実なものとすることができる。
【０３１６】
なお、上述した実施形態の記載内容に限定されず、例えば次のように実施してもよい。
【０３１７】
（ａ）上記実施形態では、上皿７１の後側部分を覆う天井カバー７６の一部（箱体２１２等）を遮光手段とし、その上方に配置された情報表示装置５０３の冷陰極管５３９の光を利用して不正行為の早期発見が可能となるように構成している。これに限らず、以下に示すような構成としてもよい。
【０３１８】
例えば、上皿７１の下方や側方位置などにおいて発光手段及び遮光手段を配置した構成としてもよい。
【０３１９】
また、情報表示装置５０３を省略し、天井カバー７６の上方位置に発光手段としての冷陰極管のみを配置した構成としてもよい。
【０３２０】
また、情報表示装置５０３に代えて、バックライトを具備したリールユニット５０２や、装飾用のランプ表示部を配置し、その光を利用する構成としてもよい。
【０３２１】
また、発光手段も冷陰極管５３９に限定されるものではなく、例えばＬＥＤなどを採用してもよい。
【０３２２】
（ｂ）天井カバー７６の構成も上記実施形態に限定されるものではない。例えば天板体２１０を遮光性を有する材料により形成してもよい。また、箱体２１２と天板体２１０とを一体形成した構成としてもよい。但し、メンテナンス性を考慮すれば、両者が別体であることが好ましい。また、突出部２２０を省略した構成としてもよい。
【０３２３】
（ｃ）上皿７１の貯留面にコーティングなど光沢を持たせる加工を施した構成としてもよい。このような構成とすれば、上皿７１の一部が装飾枠１１の奥まった位置に配置されている構成であっても、箱体２１２等に孔が開けられ、光が漏れた場合には、上皿７１の貯留面に反射した光を視認することで、不正行為を発見できる。
【０３２４】
（ｄ）前扉３、メインユニット４及び裏機構ユニット５の関連構成や、施錠機構も上記実施形態に限定されるものではない。例えば前扉３が外枠２に施錠された状態で、前扉３に対する裏機構ユニット５の解錠を行える構成としてもよい。
【０３２５】
（ｅ）上記実施形態とは異なるタイプの遊技機として実施してもよい。例えば、発射手段を備えたパチンコ機等の弾球遊技機として実施してもよい。また、パチンコ機以外にも、アレンジボール機、それに類する雀球等の各種遊技機として実施することも可能である。この他、遊技媒体として遊技球とは異なる媒体（例えばメダル等）を使用する遊技機（例えばスロットマシン等の回胴式遊技機）として実施してもよい。
【符号の説明】
【０３２６】
１…パロット機、２…外枠、３…前扉、４…メインユニット、５…裏機構ユニット、１１…装飾枠、３７…透視パネル、７０…上皿ユニット、７１…上皿、７６…天井カバー、８１…受口部、８３…取込口、２１０…天板体、２１２…箱体、２２０…突出部、３００…取込装置、５０２…リールユニット、５０３…情報表示装置、５３８…情報表示パネル、５３９…冷陰極管（蛍光灯）、５６５…払出機構部、７５０…施錠装置。
【図１】
2014221277.tif 000003
【図２】
2014221277.tif 000004
【図３】
2014221277.tif 000005
【図４】
2014221277.tif 000006
【図５】
2014221277.tif 000007
【図６】
2014221277.tif 000008
【図７】
2014221277.tif 000009
【図８】
2014221277.tif 000010
【図９】
2014221277.tif 000011
【図１０】
2014221277.tif 000012
【図１１】
2014221277.tif 000013
【図１２】
2014221277.tif 000014
【図１３】
2014221277.tif 000015
【図１４】
2014221277.tif 000016
【図１５】
2014221277.tif 000017
【図１６】
2014221277.tif 000018
【図１７】
2014221277.tif 000019
【図１８】
2014221277.tif 000020
【図１９】
2014221277.tif 000021
【図２０】
2014221277.tif 000022
【図２１】
2014221277.tif 000023
【図２２】
2014221277.tif 000024
【図２３】
2014221277.tif 000025
【図２４】
2014221277.tif 000026
【図２５】
2014221277.tif 000027
【図２６】
2014221277.tif 000028
【図２７】
2014221277.tif 000029
【図２８】
2014221277.tif 000030
【図２９】
2014221277.tif 000031
【図３０】
2014221277.tif 000032
【図３１】
2014221277.tif 000033
【図３２】
2014221277.tif 000034
【図３３】
2014221277.tif 000035
【図３４】
2014221277.tif 000036
【図３５】
2014221277.tif 000037
【図３６】
2014221277.tif 000038
【図３７】
2014221277.tif 000039
【図３８】
2014221277.tif 000040
【図３９】
2014221277.tif 000041
【図４０】
2014221277.tif 000042
【図４１】
2014221277.tif 000043
【図４２】
2014221277.tif 000044
【図４３】
2014221277.tif 000045
【図４４】
2014221277.tif 000046
【図４５】
2014221277.tif 000047
【図４６】
2014221277.tif 000048
【図４７】
2014221277.tif 000049